(57)【特許請求の範囲】
【請求項１】
チャネル状態情報（ＣＳＩ）の伝送方法であって、当該方法は、
ユーザ機器（ＵＥ）によって、ダウンリンク・データを受信することと、
前記ＵＥによって、前記ダウンリンク・データのフィードバック情報を送信するために使用されるアップリンク・サブフレームを決定することであって、該アップリンク・サブフレームと関連付けられた第１のダウンリンク・サブフレームのセットは、第１のサブセット及び第２のサブセットを含み、該第１のサブセットは、該第２のサブセットの真のサブセットである、決定することと、
前記ＵＥによって、前記フィードバック情報を送信するために使用されるチャネル・リソースを決定することであって、該チャネル・リソースは、第１のアップリンク・チャネル・リソース又は第２のアップリンク・チャネル・リソースを含み、該第１のアップリンク・チャネル・リソースは、コードブック・サイズｐであるフィードバック情報のフィードバックを最大限サポートするリソースであり、該第２のアップリンク・チャネル・リソースは、コードブック・サイズｑであるフィードバック情報のフィードバックを最大限サポートするリソースであり、ｑ＞ｐであり、ｑ≧ｑ１であり、ｐ≧ｐ１であり、ｐ１は、フィードバック情報の、及び前記第１のサブセットに対応するコードブック・サイズであり、ｑ１は、フィードバック情報の、及び前記第２のサブセットに対応するコードブック・サイズであり、コードブック・サイズは、符号化する前のフィードバック情報の元のビットの量であり、ｐ、ｑ、ｐ１、及びｑ１は、すべて正の整数である、決定することと、
ｒ個のＣＳＩが、送信されるように構成され、かつ、前記フィードバック情報のコードブック・サイズが、前記第１のサブセットに対応し、かつ、決定された前記チャネル・リソースが、前記第２のアップリンク・チャネル・リソースである場合、前記ＵＥによって、前記フィードバック情報、及び該ｒ個のＣＳＩのうちのｔ個のＣＳＩを、前記第２のアップリンク・チャネル・リソースで送信することであって、ｒ≧２であり、２≦ｔ≦ｒであり、ｒ及びｔは、両方、正の整数である、送信することと、
を含む方法。
【請求項２】
前記ＵＥによって、前記フィードバック情報を送信するために使用されるチャネル・リソースを決定することの後に、当該方法は、
ｒ個のＣＳＩを送信することが、前記アップリンク・サブフレーム内で前記ＵＥに対して構成され、かつ、前記フィードバック情報のコードブック・サイズが、前記第１のサブセットに対応し、かつ、前記ＵＥによって決定された前記チャネル・リソースが、前記第１のアップリンク・チャネル・リソースである場合、前記ＵＥによって、前記フィードバック情報、及び前記ｒ個のＣＳＩのうちのｓ個のＣＳＩを、前記第１のアップリンク・チャネル・リソースで送信することであって、０≦ｓ≦ｒであり、ｓは正の整数である、送信すること
をさらに含む、請求項１に記載の方法。
【請求項３】
前記ＵＥによって、前記フィードバック情報を送信するために使用されるチャネル・リソースを決定することの後に、当該方法は、
ｒ個のＣＳＩを送信することが、前記アップリンク・サブフレーム内で前記ＵＥに対して構成され、かつ、前記フィードバック情報のコードブック・サイズが、前記第２のサブセットに対応し、かつ、前記ＵＥによって決定された前記チャネル・リソースが、前記第２のアップリンク・チャネル・リソースである場合、前記ＵＥによって、前記フィードバック情報、及び前記ｒ個のＣＳＩのうちのｓ個のＣＳＩを、前記第２のアップリンク・チャネル・リソースで送信することであって、０≦ｓ≦ｒであり、ｓは正の整数である、送信すること
をさらに含む、請求項１又は２に記載の方法。
【請求項４】
前記方法は、前記ＵＥによって、前記第１のサブセット及び前記第２のサブセットを、最初に周波数ドメインのキャリア・インデックスに従って、次にビット量の閾値に関する時間ドメインのサブフレーム・インデックスに従って決定すること
をさらに含む、請求項１から３のいずれか一項に記載の方法。
【請求項５】
ダウンリンク・データを受信するように構成された受信機と、
前記ダウンリンク・データのフィードバック情報を送信するために使用されるアップリンク・サブフレームを決定するように構成されたプロセッサであって、該アップリンク・サブフレームと関連付けられた第１のダウンリンク・サブフレームのセットは、第１のサブセット及び第２のサブセットを含み、該第１のサブセットは、該第２のサブセットの真のサブセットであり、該プロセッサは、前記フィードバック情報を送信するために使用されるチャネル・リソースを決定するようにさらに構成され、該チャネル・リソースは、第１のアップリンク・チャネル・リソース又は第２のアップリンク・チャネル・リソースを含み、該第１のアップリンク・チャネル・リソースは、コードブック・サイズｐであるフィードバック情報のフィードバックを最大限サポートするリソースであり、該第２のアップリンク・チャネル・リソースは、コードブック・サイズｑであるフィードバック情報のフィードバックを最大限サポートするリソースであり、ｑ＞ｐであり、ｑ≧ｑ１であり、ｐ≧ｐ１であり、ｐ１は、フィードバック情報の、及び前記第１のサブセットに対応するコードブック・サイズであり、ｑ１は、フィードバック情報の、及び前記第２のサブセットに対応するコードブック・サイズであり、コードブック・サイズは、符号化する前のフィードバック情報の元のビットの量であり、ｐ、ｑ、ｐ１、及びｑ１は、すべて正の整数である、プロセッサと、
ｒ個のチャネル状態情報（ＣＳＩ）が送信されるように構成され、前記フィードバック情報のコードブック・サイズが前記第１のサブセットに対応し、決定された前記チャネル・リソースが、前記第２のアップリンク・チャネル・リソースであるケースにおいて、前記フィードバック情報、及び該ｒ個のＣＳＩのうちのｔ個のＣＳＩを送信するように構成され、ｒ≧２であり、２≦ｔ≦ｒであり、ｒ及びｔは、両方、正の整数である、送信機と
を含む、通信デバイス。
【請求項６】
前記送信機は、ｒ個のＣＳＩが送信されるように構成され、前記フィードバック情報のコードブック・サイズが前記第１のサブセットに対応し、決定された前記チャネル・リソースが、前記第１のアップリンク・チャネル・リソースであるケースにおいて、前記フィードバック情報、及び該ｒ個のＣＳＩのうちのｓ個のＣＳＩを送信するようにさらに構成され、０≦ｓ≦ｒであり、ｓは正の整数である、請求項５に記載の通信デバイス。
【請求項７】
前記送信機は、ｒ個のＣＳＩが送信されるように構成され、前記フィードバック情報のコードブック・サイズが前記第２のサブセットに対応し、決定された前記チャネル・リソースが、前記第２のアップリンク・チャネル・リソースであるケースにおいて、前記フィードバック情報、及び該ｒ個のＣＳＩのうちのｓ個のＣＳＩを送信するようにさらに構成され、０≦ｓ≦ｒであり、ｓは正の整数である、請求項５又は６に記載の通信デバイス。
【請求項８】
前記プロセッサは、前記第１のサブセット及び前記第２のサブセットを、最初に周波数ドメインのキャリア・インデックスに従って、次にビット量の閾値に関する時間ドメインのサブフレーム・インデックスに従って決定するように構成される、請求項５から７のいずれか一項に記載の通信デバイス。
【請求項９】
前記通信デバイスは、ユーザ機器である、請求項５から８のいずれか一項に記載の通信デバイス。
【請求項１０】
前記通信デバイスは、ユーザ機器内の電子ハードウェアのセットである、請求項５から８のいずれか一項に記載の通信デバイス。
【請求項１１】
コンピュータのプロセッサによって実行されるとき、該コンピュータに、
ダウンリンク・データを受信することと、
前記ダウンリンク・データのフィードバック情報を送信するために使用されるアップリンク・サブフレームを決定することであって、該アップリンク・サブフレームと関連付けられた第１のダウンリンク・サブフレームのセットは、第１のサブセット及び第２のサブセットを含み、該第１のサブセットは、該第２のサブセットの真のサブセットである、決定することと、
前記フィードバック情報を送信するために使用されるチャネル・リソースを決定することであって、該チャネル・リソースは、第１のアップリンク・チャネル・リソース又は第２のアップリンク・チャネル・リソースを含み、該第１のアップリンク・チャネル・リソースは、コードブック・サイズｐであるフィードバック情報のフィードバックを最大限サポートするリソースであり、該第２のアップリンク・チャネル・リソースは、コードブック・サイズｑであるフィードバック情報のフィードバックを最大限サポートするリソースであり、ｑ＞ｐであり、ｑ≧ｑ１であり、ｐ≧ｐ１であり、ｐ１は、フィードバック情報の、及び前記第１のサブセットに対応するコードブック・サイズであり、ｑ１は、フィードバック情報の、及び前記第２のサブセットに対応するコードブック・サイズであり、コードブック・サイズは、符号化する前のフィードバック情報の元のビットの量であり、ｐ、ｑ、ｐ１、及びｑ１は、すべて正の整数である、決定することと、
ｒ個のチャネル状態情報（ＣＳＩ）が送信されるように構成され、前記フィードバック情報のコードブック・サイズが前記第１のサブセットに対応し、決定された前記チャネル・リソースが、前記第２のアップリンク・チャネル・リソースであるケースにおいて、前記フィードバック情報、及び該ｒ個のＣＳＩのうちのｔ個のＣＳＩを送信することであって、ｒ≧２であり、２≦ｔ≦ｒであり、ｒ及びｔは、両方、正の整数である、送信することと、
を行わせる、プログラム。
【請求項１２】
前記プログラムが、前記コンピュータに、
ｒ個のＣＳＩが送信されるように構成され、前記フィードバック情報のコードブック・サイズが前記第１のサブセットに対応し、前記決定されたチャネル・リソースが、前記第１のアップリンク・チャネル・リソースであるケースにおいて、前記フィードバック情報、及び該ｒ個のＣＳＩのうちのｓ個のＣＳＩを送信することであって、０≦ｓ≦ｒであり、ｓは正の整数である、送信すること
をさらに行わせる、請求項１１に記載のプログラム。
【請求項１３】
前記プログラムが、前記コンピュータに、
ｒ個のＣＳＩが送信されるように構成され、前記フィードバック情報のコードブック・サイズが前記第２のサブセットに対応し、前記決定されたチャネル・リソースが、前記第２のアップリンク・チャネル・リソースであるケースにおいて、前記フィードバック情報、及び該ｒ個のＣＳＩのうちのｓ個のＣＳＩを送信することであって、０≦ｓ≦ｒであり、ｓは正の整数である、送信すること
をさらに行わせる、請求項１１又は１２に記載のプログラム。
【請求項１４】
前記プログラムが、前記コンピュータに、
前記第１のサブセット及び前記第２のサブセットを、最初に周波数ドメインのキャリア・インデックスに従って、次にビット量の閾値に関する時間ドメインのサブフレーム・インデックスに従って決定すること
をさらに行わせる、請求項１１から１３のいずれか一項に記載のプログラム。
【請求項１５】
請求項１１から１４のいずれか一項に記載のプログラムを記憶する非一時的コンピュータ可読記憶媒体。
【請求項１６】
前記コードブック・サイズｐである前記チャネル・フォーマット及び前記コードブック・サイズｑである前記チャネル・フォーマットは、同じ量のリソース・エレメントを占有し、前記コードブック・サイズｐである前記チャネル・フォーマットによって使用される直交符号の長さは、前記コードブック・サイズｑである前記チャネル・フォーマットによって使用される直交符号の長さより大きい、請求項１から４のいずれか一項に記載の方法、又は、請求項５から１０のいずれか一項に記載の通信デバイス、又は、請求項１１から１４のいずれか一項に記載のプログラム、又は、請求項１５に記載の非一時的コンピュータ可読記憶媒体。
【請求項１７】
前記ビット量の閾値が２２ビットである、請求項４に記載の方法、又は、請求項８に記載の通信デバイス、又は、請求項１４に記載のプログラム。
【発明の詳細な説明】
【技術分野】
【０００１】
本発明は、通信分野に関し、詳細には、チャネル状態情報（Channel  State  information、略してＣＳＩ）の伝送方法、ユーザ機器（User  Equipment、略してＵＥ）、及びアクセス・ネットワーク・デバイスに関する。
【背景技術】
【０００２】
モバイル通信技術の発展に伴い、将来のモバイル通信システムは、高速データ伝送、及びより広いサービス・カバレッジを提供する。キャリア・アグリゲーション（Carrier  Aggregation、略してＣＡ）は、頻繁に使用される伝送手法であり、モバイル通信の分野にますます広く適用される。ＣＡの概念は、アクセス・ネットワーク・デバイスが、キャリア・アグリゲーションをサポートするＵＥに対して複数キャリアを構成及び提供し、アップリンク及びダウンリンク通信を実施して、高速データ伝送がサポートされるようにするというものである。キャリアは、１次キャリア及び２次キャリアを含む。
【０００３】
既存のロング・ターム・エボリューション（Long  Term  Evolution、略してＬＴＥ）のＣＡシステムにおいて、定期的なＣＳＩが、それぞれのアグリゲーション・キャリアに対して独立して構成されてよく、定期的なＣＳＩは、物理アップリンク制御チャネル（Physical  Uplink  Control  Channel、略してＰＵＣＣＨ）で搬送され、アクセス・ネットワーク・デバイスにフィードバックされる。しかし、ＰＵＣＣＨの容量は制約されるので、それぞれのサブフレーム内で、１個のキャリア上の１個のＣＳＩだけが、アクセス・ネットワーク・デバイスに報告されることができる。複数個の定期的なＣＳＩが、同じサブフレーム内で一斉に構成される場合、ＵＥは、定期的なＣＳＩを、事前構成されたプライオリティに従って廃棄し、最終的に、最も高いプライオリティを有する１個のＣＳＩを、アクセス・ネットワーク・デバイスにフィードバックする。このようにして、いくつかのキャリアのＣＳＩは、アクセス・ネットワーク・デバイスにフィードバックされることを避けられか、又はフィードバック期間は延長され、最終的に、ダウンリンク・データのスケジュールリングのパフォーマンスの低下を引き起こす。より多くのキャリアのＣＡがＣＡシステムに導入されると、より多くの肯定応答（ACKnowledgment、略してＡＣＫ）又は否定応答（NACKnowledgment、略してＮＡＣＫ）の情報がフィードバックされる必要があるので、ＰＵＣＣＨの容量はさらに制約される。結果的に、前述の状況はより厳しくなる。
【０００４】
したがって、どのように複数個のＣＳＩを一斉に伝送するかは、現在、至急解決されるべき問題である。
【発明の概要】
【０００５】
本発明の実施形態は、ＣＳＩの伝送方法、ユーザ機器、及びアクセス・ネットワーク・デバイスを、少なくとも、複数個のＣＳＩが一斉に伝送されることができないという従来技術の問題を解決するため、及び、複数個のＣＳＩが一斉に伝送される関連ソリューションを提供するために、提供する。
【０００６】
前述の目的を達成するために、以下の技術的ソリューションが、本発明の実施形態において使用される。
【０００７】
第１の態様によれば、チャネル状態情報ＣＳＩの伝送方法は提供され、方法は、
ユーザ機器ＵＥによって、ダウンリンク・データをアクセス・ネットワーク・デバイスから受信することと、
ＵＥによって、ダウンリンク・データのフィードバック情報を送信するために使用されるアップリンク・サブフレームを決定することであって、アップリンク・サブフレームと関連付けられた第１のダウンリンク・サブフレームのセットは、第１のサブセット及び第２のサブセットを含み、第１のサブセットは、第２のサブセットの真のサブセットである、決定することと、
ＵＥによって、フィードバック情報を送信するために使用されるチャネル・リソースを決定することであって、チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１は、すべて正の整数である、決定することと、
ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第２のアップリンク・チャネル・リソースである場合、ＵＥによって、フィードバック情報、及びｒ個のＣＳＩのうちのｔ個のＣＳＩを、第２のアップリンク・チャネル・リソースで送信することであって、ｒ≧２であり、２≦ｔ≦ｒであり、ｒ及びｔは、両方、正の整数である、送信することと
を含む。
【０００８】
第１の態様に関して、第１の態様の第１の可能な実装形態において、ＵＥによって、フィードバック情報を送信するために使用されるチャネル・リソースを決定することの後、方法は、
ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第１のアップリンク・チャネル・リソースである場合、ＵＥによって、フィードバック情報、及びｒ個のＣＳＩのうちのｓ個のＣＳＩを、第１のアップリンク・チャネル・リソースで送信することであって、０≦ｓ≦ｒであり、ｓは正の整数である、送信すること
をさらに含む。
【０００９】
第１の態様又は第１の態様の第１の可能な実装形態に関して、第１の態様の第２の可能な実装形態において、ＵＥによって、フィードバック情報を送信するために使用されるチャネル・リソースを決定することの後、方法は、
ｒ個のＣＳＩを送信することが、アップリンク・サブフレーム内でＵＥに対して構成され、かつ、フィードバック情報のコードブック・サイズが、第２のサブセットに対応し、かつ、ＵＥによって決定されたチャネル・リソースが、第２のアップリンク・チャネル・リソースである場合、ＵＥによって、フィードバック情報、及びｒ個のＣＳＩのうちのｓ個のＣＳＩを、第２のアップリンク・チャネル・リソースで送信することであって、０≦ｓ≦ｒであり、ｓは正の整数である、送信すること
をさらに含む。
【００１０】
第１の態様から第１の態様の第２の可能な実装形態までのうちの任意の１つに関して、第１の態様の第３の可能な実装形態において、ＵＥによって、ダウンリンク・データをアクセス・ネットワーク・デバイスから受信することは、
ＵＥによって、第２のダウンリンク・サブフレームのセットに含まれるダウンリンク・サブフレーム内でダウンリンク・データを受信すること
を含み、
第２のダウンリンク・サブフレームのセットは、第１のダウンリンク・サブフレームのセット内のすべてのスケジュールリングされたダウンリンク・サブフレームを含む、又は、
第２のダウンリンク・サブフレームのセットは、ＵＥによって活性化されたすべてのキャリア上にある第１のダウンリンク・サブフレームのセット内のダウンリンク・サブフレームを含む。
【００１１】
第１の態様の第３の可能な実装形態に関して、第１の態様の第４の可能な実装形態において、ｒ個のＣＳＩを送信することが、アップリンク・サブフレーム内でＵＥに対して構成され、かつ、第２のダウンリンク・サブフレームのセットが、第１のサブセットのサブセットである場合、ＵＥによって決定されたチャネル・リソースは、第１のアップリンク・チャネル・リソース若しくは第２のアップリンク・チャネル・リソースであり、又は、
ｒ個のＣＳＩを送信することが、アップリンク・サブフレーム内でＵＥに対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、ＵＥによって決定されたチャネル・リソースは、第２のアップリンク・チャネル・リソースである。
【００１２】
第１の態様から第１の態様の第４の可能な実装形態までのうちの任意の１つに関して、第１の態様の第５の可能な実装形態において、ＵＥによって、フィードバック情報を送信するために使用されるチャネル・リソースを決定することの前に、方法は、
ＵＥによって、リソース指示情報をアクセス・ネットワーク・デバイスから受信することであって、リソース指示情報は、フィードバック情報を送信するためのチャネル・リソースを指示するために使用される、受信すること
をさらに含み、
ＵＥによって、フィードバック情報を送信するために使用されるチャネル・リソースを決定することは、
ＵＥによって、リソース指示情報、並びにリソース指示情報内の状態セットにおける異なる状態と、チャネル・リソース・セット内の異なるチャネル・リソースとの間の、及びアクセス・ネットワーク・デバイスによってＵＥに対して事前構成されたマッピング関係に従って、フィードバック情報を送信するために使用されるチャネル・リソースを決定することであって、チャネル・リソース・セットは、第１のアップリンク・チャネル・リソース及び第２のアップリンク・チャネル・リソースを含む、決定すること
を含む。
【００１３】
第１の態様の第５の可能な実装形態に関して、第１の態様の第６の可能な実装形態において、リソース指示情報は、フィードバック情報のコードブック・サイズを指示するためにさらに使用され、
方法は、
ＵＥによって、フィードバック情報のコードブック・サイズを、リソース指示情報、並びにリソース指示情報内の状態セットにおける異なる状態と、コードブック・サイズのセット内の異なるコードブック・サイズとの間の、及びアクセス・ネットワーク・デバイスによってＵＥに対して事前構成されたマッピング関係に従って決定することであって、コードブック・サイズのセットは、第１のサブセットに対応するコードブック・サイズ、及び第２のサブセットに対応するコードブック・サイズを含む、決定すること
をさらに含む。
【００１４】
第１の態様の第５の可能な実装形態に関して、第１の態様の第７の可能な実装形態において、リソース指示情報は、フィードバック情報のコードブック・サイズに対応するサブセットを指示するためにさらに使用され、
方法は、
ＵＥによって、リソース指示情報、並びにリソース指示情報内の状態セットにおける異なる状態と、コードブック・サイズに対応するサブセットのセット内の異なるコードブック・サイズに対応するサブセットとの間の、及びアクセス・ネットワーク・デバイスによってＵＥに対して事前構成されたマッピング関係に従って、フィードバック情報のコードブック・サイズに対応するサブセットを決定することであって、コードブック・サイズに対応するサブセットのセットは、第１のサブセット及び第２のサブセットを含む、決定すること
をさらに含む。
【００１５】
第１の態様の第３の可能な実装形態から第１の態様の第７の実装形態までのうちの任意の１つに関して、第１の態様の第８の可能な実装形態において、ＵＥによって、フィードバック情報を送信するために使用されるチャネル・リソースを決定することの後、方法は、
ＣＳＩ送信が、アップリンク・サブフレーム内でＵＥに対して構成されず、かつ、フィードバック情報のコードブック・サイズが、第１のサブセットに対応し、かつ、ＵＥによって決定されたチャネル・リソースが、第１のアップリンク・チャネル・リソースである場合、ＵＥによって、フィードバック情報を、第１のアップリンク・チャネル・リソースで送信すること、又は、
ＣＳＩ送信が、アップリンク・サブフレーム内でＵＥに対して構成されず、かつ、フィードバック情報のコードブック・サイズが、第２のサブセットに対応し、かつ、ＵＥによって決定されたチャネル・リソースが、第２のアップリンク・チャネル・リソースである場合、ＵＥによって、フィードバック情報を、第２のアップリンク・チャネル・リソースで送信すること
をさらに含む。
【００１６】
第１の態様の第８の可能な実装形態に関して、第１の態様の第９の可能な実装形態において、ＣＳＩ送信が、アップリンク・サブフレーム内でＵＥに対して構成されず、かつ、第２のダウンリンク・サブフレームのセットが、第１のサブセットのサブセットである場合、ＵＥによって決定されたチャネル・リソースは、第１のアップリンク・チャネル・リソースであり、又は、
ＣＳＩ送信が、アップリンク・サブフレーム内でＵＥに対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、ＵＥによって決定されたチャネル・リソースが、第２のアップリンク・チャネル・リソースである。
【００１７】
第２の態様によれば、ユーザ機器ＵＥが提供され、ＵＥは、受信モジュール、処理モジュール、及び送信モジュールを含み、
受信モジュールは、ダウンリンク・データをアクセス・ネットワーク・デバイスから受信するように構成され、
処理モジュールは、ダウンリンク・データのフィードバック情報を送信するために使用されるアップリンク・サブフレームを決定するように構成され、アップリンク・サブフレームと関連付けられた第１のダウンリンク・サブフレームのセットは、第１のサブセット及び第２のサブセットを含み、第１のサブセットは、第２のサブセットの真のサブセットであり、
処理モジュールは、フィードバック情報を送信するために使用されるチャネル・リソースを決定するようにさらに構成され、チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１はすべて正の整数であり、
送信モジュールは、ｒ個のチャネル状態情報ＣＳＩを送信することが、アップリンク・サブフレーム内でＵＥに対して構成され、かつ、フィードバック情報のコードブック・サイズが、第１のサブセットに対応し、かつ、処理モジュールによって決定されたチャネル・リソースが、第２のアップリンク・チャネル・リソースである場合、フィードバック情報、及びｒ個のＣＳＩのうちのｔ個のＣＳＩを、第２のアップリンク・チャネル・リソースで送信するように構成され、ｒ≧２であり、２≦ｔ≦ｒであり、ｒ及びｔは、両方、正の整数である。
【００１８】
第２の態様に関して、第２の態様の第１の可能な実装形態において、送信モジュールは、処理モジュールが、フィードバック情報を送信するために使用されるチャネル・リソースを決定した後、ｒ個のＣＳＩを送信することが、アップリンク・サブフレーム内でＵＥに対して構成され、かつ、フィードバック情報のコードブック・サイズが、第１のサブセットに対応し、かつ、処理モジュールによって決定されたチャネル・リソースが、第１のアップリンク・チャネル・リソースである場合、フィードバック情報、及びｒ個のＣＳＩのうちのｓ個のＣＳＩを、第１のアップリンク・チャネル・リソースで送信するようにさらに構成され、０≦ｓ≦ｒであり、ｓは正の整数である。
【００１９】
第２の態様又は第２の態様の第１の可能な実装形態に関して、第２の態様の第２の可能な実装形態において、送信モジュールは、処理モジュールが、フィードバック情報を送信するために使用されるチャネル・リソースを決定した後、ｒ個のＣＳＩを送信することが、アップリンク・サブフレーム内でＵＥに対して構成され、かつ、フィードバック情報のコードブック・サイズが、第２のサブセットに対応し、かつ、処理モジュールによって決定されたチャネル・リソースが、第２のアップリンク・チャネル・リソースである場合、フィードバック情報、及びｒ個のＣＳＩのうちのｓ個のＣＳＩを、第２のアップリンク・チャネル・リソースで送信するようにさらに構成され、０≦ｓ≦ｒであり、ｓは正の整数である。
【００２０】
第２の態様から第２の態様の第２の可能な実装形態までのうちの任意の１つに関して、第２の態様の第３の可能な実装形態において、受信モジュールは、
ダウンリンク・データを、第２のダウンリンク・サブフレームのセットに含まれるダウンリンク・サブフレーム内で受信すること
を行うように具体的に構成され、
第２のダウンリンク・サブフレームのセットは、第１のダウンリンク・サブフレームのセット内のすべてのスケジューリングされたダウンリンク・サブフレームを含み、又は、
第２のダウンリンク・サブフレームのセットは、ＵＥによって活性化されたすべてのキャリア上にある第１のダウンリンク・サブフレームのセット内のダウンリンク・サブフレームを含む。
【００２１】
第２の態様の第３の可能な実装形態に関して、第２の態様の第４の可能な実装形態において、ｒ個のＣＳＩを送信することが、アップリンク・サブフレーム内でＵＥに対して構成され、かつ、第２のダウンリンク・サブフレームのセットが、第１のサブセットのサブセットである場合、処理モジュールによって決定されたチャネル・リソースは、第１のアップリンク・チャネル・リソース若しくは第２のアップリンク・チャネル・リソースであり、又は、
ｒ個のＣＳＩを送信することが、アップリンク・サブフレーム内でＵＥに対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュールによって決定されたチャネル・リソースは、第２のアップリンク・チャネル・リソースである。
【００２２】
第２の態様から第２の態様の第４の可能な実装形態までのうちの任意の１つに関して、第２の態様の第５の可能な実装形態において、受信モジュールは、処理モジュールがフィードバック情報を送信するために使用されるチャネル・リソースを決定する前に、リソース指示情報をアクセス・ネットワーク・デバイスから受信するようにさらに構成され、リソース指示情報は、フィードバック情報を送信するためのチャネル・リソースを指示するために使用され、
処理モジュールは、
リソース指示情報、並びにリソース指示情報内の状態セットにおける異なる状態と、チャネル・リソース・セット内の異なるチャネル・リソースとの間の、及びアクセス・ネットワーク・デバイスによってＵＥに対して事前構成されたマッピング関係に従って、フィードバック情報を送信するために使用されるチャネル・リソースを決定するように具体的に構成され、チャネル・リソース・セットは、第１のアップリンク・チャネル・リソース及び第２のアップリンク・チャネル・リソースを含む。
【００２３】
第２の態様の第５の可能な実装形態に関して、第２の態様の第６の可能な実装形態において、リソース指示情報は、フィードバック情報のコードブック・サイズを指示するためにさらに使用され、
処理モジュールは、フィードバック情報のコードブック・サイズを、リソース指示情報、並びにリソース指示情報内の状態セットにおける異なる状態と、コードブック・サイズのセット内の異なるコードブック・サイズとの間の、及びアクセス・ネットワーク・デバイスによってＵＥに対して事前構成されたマッピング関係に従って決定するようにさらに構成され、コードブック・サイズのセットは、第１のサブセットに対応するコードブック・サイズ、及び第２のサブセットに対応するコードブック・サイズを含む。
【００２４】
第２の態様の第５の可能な実装形態に関して、第２の態様の第７の可能な実装形態において、リソース指示情報は、フィードバック情報のコードブック・サイズに対応するサブセットを指示するためにさらに使用され、
処理モジュールは、リソース指示情報、並びにリソース指示情報内の状態セットにおける異なる状態と、コードブック・サイズに対応するサブセットのセット内の異なるコードブック・サイズに対応するサブセットとの間の、及びアクセス・ネットワーク・デバイスによってＵＥに対して事前構成されたマッピング関係に従って、フィードバック情報のコードブック・サイズに対応するサブセットを決定するようにさらに構成され、コードブック・サイズに対応するサブセットのセットは、第１のサブセット及び第２のサブセットを含む。
【００２５】
第２の態様の第３の可能な実装形態から第２の態様の第７の実装形態までのうちの任意の１つに関して、第２の態様の第８の可能な実装形態において、送信モジュールは、処理モジュールが、フィードバック情報を送信するために使用されるチャネル・リソースを決定した後、ＣＳＩ送信が、アップリンク・サブフレーム内でＵＥに対して構成されず、かつ、フィードバック情報のコードブック・サイズが、第１のサブセットに対応し、かつ、処理モジュールによって決定されたチャネル・リソースが、第１のアップリンク・チャネル・リソースである場合、フィードバック情報を、第１のアップリンク・チャネル・リソースで送信するようにさらに構成され、又は、
送信モジュールは、処理モジュールが、フィードバック情報を送信するために使用されるチャネル・リソースを決定した後、ＣＳＩ送信が、アップリンク・サブフレーム内でＵＥに対して構成されず、かつ、フィードバック情報のコードブック・サイズが、第２のサブセットに対応し、かつ、処理モジュールによって決定されたチャネル・リソースが、第２のアップリンク・チャネル・リソースである場合、フィードバック情報を、第２のアップリンク・チャネル・リソースで送信するようにさらに構成される。
【００２６】
第２の態様の第８の可能な実装形態に関して、第２の態様の第９の可能な実装形態において、ＣＳＩ送信が、アップリンク・サブフレーム内でＵＥに対して構成されず、かつ、第２のダウンリンク・サブフレームのセットが、第１のサブセットのサブセットである場合、処理モジュールによって決定されたチャネル・リソースは、第１のアップリンク・チャネル・リソースであり、又は、
ＣＳＩ送信が、アップリンク・サブフレーム内でＵＥに対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュールによって決定されたチャネル・リソースは、第２のアップリンク・チャネル・リソースである。
【００２７】
本発明の実施形態において提供されたＣＳＩの伝送方法及びＵＥに基づいて、本発明の実施形態において、ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第２のアップリンク・チャネル・リソースであるとき、ＵＥは、フィードバック情報の、及び第１のサブセットに対応するコードブック・サイズに従って、フィードバック情報だけを第２のアップリンク・チャネル・リソースで送信する必要がある。したがって、フィードバック情報の、及び第１のサブセットに対応するコードブック・サイズが、第１のアップリンク・チャネルのコードブック・サイズより大きくないこと、並びに、第１のアップリンク・チャネルのコードブック・サイズが、第２のアップリンク・チャネルのコードブック・サイズより小さいことを考えると、第２のアップリンク・チャネル・リソースで搬送されることができるフィードバック情報の最大ビット量は制約されず、ＵＥは、フィードバック情報を、第２のアップリンク・チャネル・リソースで送信できるだけでなく、ｒ個のＣＳＩのうちのｔ個のＣＳＩを、第２のアップリンク・チャネル・リソースで送信することもでき、ここで、ｒ≧２であり、２≦ｔ≦ｒである。すなわち、ＵＥは、フィードバック情報、及びｒ個のＣＳＩのうちのｔ個のＣＳＩを、第２のアップリンク・チャネル・リソースで送信し、ここで、ｒ≧２であり、２≦ｔ≦ｒであり、複数個のＣＳＩが一斉に伝送されるようにする。
【００２８】
第３の態様によれば、チャネル状態情報ＣＳＩの伝送方法が提供され、方法は、
アクセス・ネットワーク・デバイスによって、ダウンリンク・データをユーザ機器ＵＥに送信することと、
アクセス・ネットワーク・デバイスによって、ダウンリンク・データのフィードバック情報を受信するために使用されるアップリンク・サブフレームを決定することであって、アップリンク・サブフレームと関連付けられた第１のダウンリンク・サブフレームのセットは、第１のサブセット及び第２のサブセットを含み、第１のサブセットは、第２のサブセットの真のサブセットである、決定することと、
アクセス・ネットワーク・デバイスによって、フィードバック情報を受信するために使用されるチャネル・リソースを決定することであって、チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１は、すべて正の整数である、決定することと、
ｒ個のＣＳＩを受信することが、アップリンク・サブフレーム内でアクセス・ネットワーク・デバイスに対して構成され、かつ、フィードバック情報のコードブック・サイズが、第１のサブセットに対応し、かつ、アクセス・ネットワーク・デバイスによって決定されたチャネル・リソースが、第２のアップリンク・チャネル・リソースである場合、アクセス・ネットワーク・デバイスによって、フィードバック情報、及びｒ個のＣＳＩのうちのｔ個のＣＳＩを、第２のアップリンク・チャネル・リソースで受信することであって、ｒ≧２であり、２≦ｔ≦ｒであり、ｐ１、ｒ、及びｔは、すべて正の整数である、受信することと
を含む。
【００２９】
第３の態様に関して、第３の態様の第１の可能な実装形態において、アクセス・ネットワーク・デバイスによって、フィードバック情報を受信するために使用されるチャネル・リソースを決定することの後、方法は、
ｒ個のＣＳＩを受信することが、アップリンク・サブフレーム内でアクセス・ネットワーク・デバイスに対して構成され、かつ、フィードバック情報のコードブック・サイズが、第１のサブセットに対応し、かつ、アクセス・ネットワーク・デバイスによって決定されたチャネル・リソースが、第１のアップリンク・チャネル・リソースである場合、アクセス・ネットワーク・デバイスによって、フィードバック情報、及びｒ個のＣＳＩのうちのｓ個のＣＳＩを、第１のアップリンク・チャネル・リソースで受信することであって、０≦ｓ≦ｒであり、ｓは正の整数である、受信すること
をさらに含む。
【００３０】
第３の態様又は第３の態様の第１の可能な実装形態に関して、第３の態様の第２の可能な実装形態において、アクセス・ネットワーク・デバイスによって、フィードバック情報を受信するために使用されるチャネル・リソースを決定することの後、方法は、
ｒ個のＣＳＩを受信することが、アップリンク・サブフレーム内でアクセス・ネットワーク・デバイスに対して構成され、かつ、フィードバック情報のコードブック・サイズが、第２のサブセットに対応し、かつ、アクセス・ネットワーク・デバイスによって決定されたチャネル・リソースが、第２のアップリンク・チャネル・リソースである場合、アクセス・ネットワーク・デバイスによって、フィードバック情報、及びｒ個のＣＳＩのうちのｓ個のＣＳＩを、第２のアップリンク・チャネル・リソースで受信することであって、０≦ｓ≦ｒであり、ｑ１及びｓは正の整数である、受信すること
をさらに含む。
【００３１】
第３の態様から第３の態様の第２の可能な実装形態までのうちの任意の１つに関して、第３の態様の第３の可能な実装形態において、アクセス・ネットワーク・デバイスによって、ダウンリンク・データをユーザ機器ＵＥに送信することは、
アクセス・ネットワーク・デバイスによって、ダウンリンク・データをＵＥに、第２のダウンリンク・サブフレームのセットに含まれるダウンリンク・サブフレーム内で送信すること
を含み、
第２のダウンリンク・サブフレームのセットは、第１のダウンリンク・サブフレームのセット内のすべてのスケジューリングされたダウンリンク・サブフレームを含み、又は、
第２のダウンリンク・サブフレームのセットは、ＵＥによって活性化されたすべてのキャリア上にある第１のダウンリンク・サブフレームのセット内のダウンリンク・サブフレームを含む。
【００３２】
第３の態様の第３の可能な実装形態に関して、第３の態様の第４の可能な実装形態において、ｒ個のＣＳＩを受信することが、アップリンク・サブフレーム内でアクセス・ネットワーク・デバイスに対して構成され、かつ、第２のダウンリンク・サブフレームのセットが、第１のサブセットのサブセットである場合、アクセス・ネットワーク・デバイスによって決定されたチャネル・リソースは、第１のアップリンク・チャネル・リソース若しくは第２のアップリンク・チャネル・リソースであり、又は、
ｒ個のＣＳＩを受信することが、アップリンク・サブフレーム内でアクセス・ネットワーク・デバイスに対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、アクセス・ネットワーク・デバイスによって決定されたチャネル・リソースは、第２のアップリンク・チャネル・リソースである。
【００３３】
第３の態様から第３の態様の第４の可能な実装形態までのうちの任意の１つに関して、第３の態様の第５の可能な実装形態において、アクセス・ネットワーク・デバイスによって、フィードバック情報を受信するために使用されるチャネル・リソースを決定することの後、方法は、
アクセス・ネットワーク・デバイスによって、リソース指示情報をＵＥに送信することであって、リソース指示情報は、フィードバック情報を伝送するためのチャネル・リソースを指示するために使用される、送信すること
をさらに含む。
【００３４】
第３の態様の第５の可能な実装形態に関して、第３の態様の第６の可能な実装形態において、リソース指示情報は、フィードバック情報のコードブック・サイズを指示するためにさらに使用される。
【００３５】
第３の態様の第５の可能な実装形態に関して、第３の態様の第７の可能な実装形態において、リソース指示情報は、フィードバック情報のコードブック・サイズに対応するサブセットを指示するためにさらに使用される。
【００３６】
第３の態様の第３の可能な実装形態から第３の態様の第７の実装形態までのうちの任意の１つに関して、第３の態様の第８の可能な実装形態において、アクセス・ネットワーク・デバイスによって、フィードバック情報を受信するために使用されるチャネル・リソースを決定することの後、方法は、
ＣＳＩ受信が、アップリンク・サブフレーム内でアクセス・ネットワーク・デバイスに対して構成されず、かつ、フィードバック情報のコードブック・サイズが、第１のサブセットに対応し、かつ、アクセス・ネットワーク・デバイスによって決定されたチャネル・リソースが、第１のアップリンク・チャネル・リソースである場合、アクセス・ネットワーク・デバイスによって、フィードバック情報を、第１のアップリンク・チャネル・リソースで受信すること、又は、
ＣＳＩ受信が、アップリンク・サブフレーム内でアクセス・ネットワーク・デバイスに対して構成されず、かつ、フィードバック情報のコードブック・サイズが、第２のサブセットに対応し、かつ、アクセス・ネットワーク・デバイスによって決定されたチャネル・リソースが、第２のアップリンク・チャネル・リソースである場合、アクセス・ネットワーク・デバイスによって、フィードバック情報を、第２のアップリンク・チャネル・リソースで受信すること
をさらに含む。
【００３７】
第３の態様の第８の可能な実装形態に関して、第３の態様の第９の可能な実装形態において、ＣＳＩ受信が、アップリンク・サブフレーム内でアクセス・ネットワーク・デバイスに対して構成されず、かつ、第２のダウンリンク・サブフレームのセットが、第１のサブセットのサブセットである場合、アクセス・ネットワーク・デバイスによって決定されたチャネル・リソースは、第１のアップリンク・チャネル・リソースであり、又は、
ＣＳＩ送信が、アップリンク・サブフレーム内でアクセス・ネットワーク・デバイスに対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、アクセス・ネットワーク・デバイスによって決定されたチャネル・リソースは、第２のアップリンク・チャネル・リソースである。
【００３８】
第４の態様によれば、アクセス・ネットワーク・デバイスが提供され、アクセス・ネットワーク・デバイスは、送信モジュール、処理モジュール、及び受信モジュールを含み、
送信モジュールは、ダウンリンク・データをユーザ機器ＵＥに送信するように構成され、
処理モジュールは、ダウンリンク・データのフィードバック情報を受信するために使用されるアップリンク・サブフレームを決定するように構成され、アップリンク・サブフレームと関連付けられた第１のダウンリンク・サブフレームのセットは、第１のサブセット及び第２のサブセットを含み、第１のサブセットは、第２のサブセットの真のサブセットであり、
処理モジュールは、フィードバック情報を受信するために使用されるチャネル・リソースを決定するようにさらに構成され、チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１は、すべて正の整数であり、
受信モジュールは、ｒ個のチャネル状態情報ＣＳＩを受信することが、アップリンク・サブフレーム内でアクセス・ネットワーク・デバイスに対して構成され、かつ、フィードバック情報のコードブック・サイズが、第１のサブセットに対応し、かつ、処理モジュールによって決定されたチャネル・リソースが、第２のアップリンク・チャネル・リソースである場合、フィードバック情報、及びｒ個のＣＳＩのうちのｔ個のＣＳＩを、第２のアップリンク・チャネル・リソースで受信するように構成され、ｒ≧２であり、２≦ｔ≦ｒであり、ｐ１、ｒ、及びｔは、すべて正の整数である。
【００３９】
第４の態様に関して、第４の態様の第１の可能な実装形態において、受信モジュールは、処理モジュールが、フィードバック情報を受信するために使用されるチャネル・リソースを決定した後、ｒ個のＣＳＩを受信することが、アップリンク・サブフレーム内でアクセス・ネットワーク・デバイスに対して構成され、かつ、フィードバック情報のコードブック・サイズが、第１のサブセットに対応し、かつ、処理モジュールによって決定されたチャネル・リソースが、第１のアップリンク・チャネル・リソースである場合、フィードバック情報、及びｒ個のＣＳＩのうちのｓ個のＣＳＩを、第１のアップリンク・チャネル・リソースで受信するようにさらに構成され、０≦ｓ≦ｒであり、ｓは正の整数である。
【００４０】
第４の態様又は第４の態様の第１の可能な実装形態に関して、第４の態様の第２の可能な実装形態において、受信モジュールは、処理モジュールが、フィードバック情報を受信するために使用されるチャネル・リソースを決定した後、ｒ個のＣＳＩを受信することが、アップリンク・サブフレーム内でアクセス・ネットワーク・デバイスに対して構成され、かつ、フィードバック情報のコードブック・サイズが、第２のサブセットに対応し、かつ、処理モジュールによって決定されたチャネル・リソースが、第２のアップリンク・チャネル・リソースである場合、フィードバック情報、及びｒ個のＣＳＩのうちのｓ個のＣＳＩを、第２のアップリンク・チャネル・リソースで受信するようにさらに構成され、０≦ｓ≦ｒであり、ｑ１及びｓは正の整数である。
【００４１】
第４の態様から第４の態様の第２の可能な実装形態までのうちの任意の１つに関して、第４の態様の第３の可能な実装形態において、送信モジュールは、
ダウンリンク・データをＵＥに、第２のダウンリンク・サブフレームのセットに含まれるダウンリンク・サブフレーム内で送信すること
を行うように具体的に構成され、
第２のダウンリンク・サブフレームのセットは、第１のダウンリンク・サブフレームのセット内のすべてのスケジューリングされたダウンリンク・サブフレームを含み、又は、
第２のダウンリンク・サブフレームのセットは、ＵＥによって活性化されたすべてのキャリア上にある第１のダウンリンク・サブフレームのセット内のダウンリンク・サブフレームを含む。
【００４２】
第４の態様の第３の可能な実装形態に関して、第４の態様の第４の可能な実装形態において、ｒ個のＣＳＩを受信することが、アップリンク・サブフレーム内でアクセス・ネットワーク・デバイスに対して構成され、かつ、第２のダウンリンク・サブフレームのセットが、第１のサブセットのサブセットである場合、処理モジュールによって決定されたチャネル・リソースは、第１のアップリンク・チャネル・リソース若しくは第２のアップリンク・チャネル・リソースであり、又は、
ｒ個のＣＳＩを受信することが、アップリンク・サブフレーム内でアクセス・ネットワーク・デバイスに対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュールによって決定されたチャネル・リソースは、第２のアップリンク・チャネル・リソースである。
【００４３】
第４の態様から第４の態様の第４の可能な実装形態までのうちの任意の１つに関して、第４の態様の第５の可能な実装形態において、送信モジュールは、処理モジュールが、フィードバック情報を受信するために使用されるチャネル・リソースを決定した後、リソース指示情報をＵＥに送信するようにさらに構成され、リソース指示情報は、フィードバック情報を伝送するためのチャネル・リソースを指示するために使用される。
【００４４】
第４の態様の第５の可能な実装形態に関して、第４の態様の第６の可能な実装形態において、リソース指示情報は、フィードバック情報のコードブック・サイズを指示するためにさらに使用される。
【００４５】
第４の態様の第５の可能な実装形態に関して、第４の態様の第７の可能な実装形態において、リソース指示情報は、フィードバック情報のコードブック・サイズに対応するサブセットを指示するためにさらに使用される。
【００４６】
第４の態様の第３の可能な実装形態から第４の態様の第７の実装形態までのうちの任意の１つに関して、第４の態様の第８の可能な実装形態において、受信モジュールは、処理モジュールが、フィードバック情報を受信するために使用されるチャネル・リソースを決定した後、ＣＳＩ受信が、アップリンク・サブフレーム内でアクセス・ネットワーク・デバイスに対して構成されず、かつ、フィードバック情報のコードブック・サイズが、第１のサブセットに対応し、かつ、処理モジュールによって決定されたチャネル・リソースが、第１のアップリンク・チャネル・リソースである場合、フィードバック情報を、第１のアップリンク・チャネル・リソースで受信するようにさらに構成され、又は、
受信モジュールは、処理モジュールが、フィードバック情報を受信するために使用されるチャネル・リソースを決定した後、ＣＳＩ受信が、アップリンク・サブフレーム内でアクセス・ネットワーク・デバイスに対して構成されず、かつ、フィードバック情報のコードブック・サイズが、第２のサブセットに対応し、かつ、処理モジュールによって決定されたチャネル・リソースが、第２のアップリンク・チャネル・リソースである場合、フィードバック情報を、第２のアップリンク・チャネル・リソースで受信するようにさらに構成される。
【００４７】
第４の態様の第８の可能な実装形態に関して、第４の態様の第９の可能な実装形態において、ＣＳＩ受信が、アップリンク・サブフレーム内でアクセス・ネットワーク・デバイスに対して構成されず、かつ、第２のダウンリンク・サブフレームのセットが、第１のサブセットのサブセットである場合、処理モジュールによって決定されたチャネル・リソースは、第１のアップリンク・チャネル・リソースであり、又は、
ＣＳＩ送信が、アップリンク・サブフレーム内でアクセス・ネットワーク・デバイスに対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュールによって決定されたチャネル・リソースは、第２のアップリンク・チャネル・リソースである。
【００４８】
本発明の実施形態において提供されたＣＳＩの伝送方法及びアクセス・ネットワーク・デバイスに基づいて、本発明の実施形態において、ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第２のアップリンク・チャネル・リソースであるとき、アクセス・ネットワーク・デバイスは、フィードバック情報の、及び第１のサブセットに対応するコードブック・サイズに従って、フィードバック情報だけを第２のアップリンク・チャネル・リソースで受信する必要がある。したがって、フィードバック情報の、及び第１のサブセットに対応するコードブック・サイズが、第１のアップリンク・チャネルのコードブック・サイズより大きくないこと、並びに、第１のアップリンク・チャネルのコードブック・サイズが、第２のアップリンク・チャネルのコードブック・サイズより小さいことを考えると、第２のアップリンク・チャネル・リソースで搬送されることができるフィードバック情報の最大ビット量は制約されず、アクセス・ネットワーク・デバイスは、フィードバック情報を、第２のアップリンク・チャネル・リソースで受信できるだけでなく、ｒ個のＣＳＩのうちのｔ個のＣＳＩを、第２のアップリンク・チャネル・リソースで受信することもでき、ここで、ｒ≧２であり、２≦ｔ≦ｒである。すなわち、アクセス・ネットワーク・デバイスは、フィードバック情報、及びｒ個のＣＳＩのうちのｔ個のＣＳＩを、第２のアップリンク・チャネル・リソースで受信し、ここで、ｒ≧２であり、２≦ｔ≦ｒであり、、複数個のＣＳＩが一斉に伝送されるようにする。
【図面の簡単な説明】
【００４９】
【図１】本発明の実施形態によるＰＵＣＣＨフォーマット３内のチャネルの概略構造図である。
【図２】本発明の実施形態によるＣＡシステムの概略アーキテクチャ図である。
【図３】本発明の実施形態によるＣＳＩの伝送方法の概略流れ図１である。
【図４】本発明の実施形態によるＣＳＩの伝送方法の概略流れ図２である。
【図５】本発明の実施形態によるＣＳＩの伝送方法の概略流れ図３である。
【図６】本発明の実施形態によるＣＳＩの伝送方法の概略流れ図４である。
【図７】本発明の実施形態によるＣＳＩの伝送方法の概略流れ図５である。
【図８】本発明の実施形態によるＣＳＩの伝送方法の概略流れ図６である。
【図９】本発明の実施形態によるＵＥの概略構造図である。
【図１０】本発明の実施形態によるアクセス・ネットワーク・デバイスの概略構造図である。
【発明を実施するための形態】
【００５０】
以下の実施形態の説明を明確かつ簡潔にするために、関連した背景の簡単な説明が、最初に以下のように提供される。
【００５１】
ＬＴＥシステムにおいて、ダウンリンクでは、直交周波数分割多元接続（Orthogonal  Frequency  Division  Multiple  Access、略してＯＦＤＭＡ）に基づいて、時間−周波数リソースは、時間ドメインの範囲におけるＯＦＤＭＡシンボル（以下、時間ドメイン・シンボルと呼ばれる）と周波数ドメインの範囲におけるサブキャリアとに分割される。アップリンクでは、シングル・キャリア周波数分割多元接続（Single  Carrier-Frequency  Division  Multiple  Access、略してＳＣ−ＦＤＭＡ）に基づいて、時間−周波数リソースは、時間ドメインの範囲におけるＳＣ−ＦＤＭＡシンボル（以下、時間ドメイン・シンボルと呼ばれる）と周波数ドメインの範囲におけるサブキャリアとに分割される。最小のリソースの粒度は、リソース・エレメント（Resource  Element、略してＲＥ）と呼ばれ、時間ドメインにおける時間ドメイン・シンボル及び周波数ドメインにおけるサブキャリアを含む時間−周波数グリッドを表す。
【００５２】
ＬＴＥシステムにおいて、サービス伝送のためのスケジューリングは、基地局に基づいており、スケジューリングの基本的な時間ユニットは、１つのサブフレームであり、サブフレームは、複数の時間ドメイン・シンボルを含む。具体的なスケジューリング手順は、基地局が、物理ダウンリンク共有チャネル（Physical  Downlink  Shared  Channel、略してＰＤＳＣＨ）又は物理アップリンク共有チャネル（Physical  Uplink  Shared  Channel、略してＰＵＳＣＨ）のスケジューリング情報を、制御チャネル（例えば、物理ダウンリンク制御チャネル（Physical  Downlink  Control  Channel、略してＰＤＣＣＨ）又は拡張物理ダウンリンク制御チャネル（Enhanced  PDCCH，略してＥＰＤＣＣＨ））を使用することによって送信することであって、ここで、スケジューリング情報は、リソース割当情報などの制御情報、並びに調節及び符号化方式を含む、送信することと、ＵＥが、サブフレーム内で制御チャネルを検出し、検出された制御チャネルで搬送されるスケジューリング情報に従って、ダウンリンク・データを受信し、又は、アップリンク・データを送信することとを含む。
【００５３】
ＬＴＥシステムは、２つの二重モード、周波数分割双方向伝送方式（Frequency  Division  Duplex、略してＦＤＤ）及び時分割双方向伝送方式（Time    Division  Duplex、略してＴＤＤ）をサポートする。ＦＤＤシステムの場合、ダウンリンク及びアップリンクは、異なるキャリア上で伝送される。ＴＤＤシステムの場合、アップリンク及びダウンリンクは、同じキャリア上で、異なる時間で伝送される。具体的には、１個のキャリアは、ダウンリンク・サブフレーム、アップリンク・サブフレーム、及び特殊サブフレームを含む。特殊サブフレームは、３つの部品、ダウンリンク・パイロット・タイム・スロット（Downlink  Pilot  Time  Slot、略してＤｗＰＴＳ）、ガード期間（Guard  Period、ＧＰ）、及びアップリンク・パイロット・タイム・スロット（Uplink  Pilot  Time  Slot、略してＵｐＰＴＳ）を含む。ＧＰは、ダウンリンクからアップリンクへの変換時間及び伝搬遅延を補償するために主に使用される。加えて、ダウンリンク・データは、ＤｗＰＴＳ内で伝送されることができるが、アップリンク・データは、ＵｐＰＴＳ内で伝送されることができない。ＬＴＥは、現在、表１内に図示されたように、７つの異なるＴＤＤアップリンク−ダウンリンク構成をサポートする。Ｄは、ダウンリンク・サブフレームを表し、Ｓは、特殊サブフレームを表し、Ｕは、アップリンク・サブフレームを表す。
【００５４】
【表１】
0006564052.tif 000002
【００５５】
ＬＴＥシステムは、ハイブリッド自動再送要求（Hybrid  Automatic  Repeat  Request、略してＨＡＲＱ）のメカニズムを使用する。ダウンリンクが例として使用される。ＵＥがＰＤＳＣＨ上で搬送されたデータを受信した後、データが正常に受信された場合、ＵＥは、ＡＣＫ情報をＰＵＣＣＨ上でフィードバックする。データが受信されることに失敗した場合、ＵＥは、ＮＡＣＫ情報をＰＵＣＣＨ上でフィードバックする。ＦＤＤの場合、サブフレームｎ−４内で、ＰＤＳＣＨ上で搬送されたデータを受信した後、ＵＥは、ＡＣＫ情報又はＮＡＣＫ情報をサブフレームｎ内でフィードバックする。ＴＤＤの場合、ＰＤＳＣＨと、ＰＤＳＣＨに対応するＡＣＫ情報又はＮＡＣＫ情報との間の時系列の関係は、表２に示される。数字でマークされたサブフレームは、ＡＣＫ情報又はＮＡＣＫ情報をフィードバックするために使用されるアップリンク・サブフレームｎである。マークされた数字は、ダウンリンク・サブフレームｎ−ｋ（ｋはＫに属す）のセットのＰＤＳＣＨに対応するＡＣＫ情報又はＮＡＣＫ情報が、アップリンク・サブフレームｎ内でフィードバックされる必要があることを指示する。例えば、アップリンク−ダウンリンク構成１によるサブフレームｎ＝２におけるＫ＝｛７，６｝は、アップリンク・サブフレームｎ＝２が、２つのダウンリンク・サブフレーム、ｎ−７及びｎ−６のＰＤＳＣＨに対応するＡＣＫ情報又はＮＡＣＫ情報をフィードバックするために使用されることを指示する。具体的には、ｎ−７はダウンリンク・サブフレーム５であり、ｎ−６はダウンリンク・サブフレーム６である。
【００５６】
【表２】
0006564052.tif 000003
【００５７】
ＬＴＥシステムはさらに、ＣＡ技術をサポートする。すなわち、アクセス・ネットワーク・デバイスは、キャリア・アグリゲーションをサポートするＵＥに対して複数キャリアを構成及び提供し、アップリンク及びダウンリンク通信を実施して、高速データ伝送がサポートされるようにする。ＣＡ中、基地局からの複数キャリアは、送信時間の観点から同時であり、ＵＥは、それぞれのキャリアのＰＤＣＣＨ及び対応するＰＤＳＣＨを検出及びスケジュールしてよい。それぞれのキャリアの具体的な検出プロセスは、単一キャリアの前述の検出プロセスに似ている。ＬＴＥシステムは、ＦＤＤ  ＣＡ、ＴＤＤ  ＣＡ、及び  ＦＤＤ＋ＴＤＤ  ＣＡをサポートする。ＴＤＤ  ＣＡは、同じアップリンク−ダウンリンク構成のＴＤＤ  ＣＡ、及び異なるアップリンク−ダウンリンク構成のＴＤＤ  ＣＡをさらに含む。ＣＡモードでは、１つの１次キャリア及び少なくとも１つ２次キャリアが存在し、ＰＵＣＣＨ上で搬送されるＡＣＫ情報又はＮＡＣＫ情報は、ＵＥの１次キャリアだけで送信される。
【００５８】
ＣＡモードでは、ＰＵＣＣＨの１つの伝送モードは、ＰＵＣＣＨフォーマット３モードである。図１に示されるように、離散フーリエ変換（Discrete  Fourier  Transform、略してＤＦＴ）−拡散−直交周波数分割多重（DFT-Spread-OFDM、略してＤＦＴ−Ｓ−ＯＦＤＭ）送信構造が、ＰＵＣＣＨフォーマット３モードにおいて使用され、最大で２２個の符号化されていないビット伝送をサポートしてよい。例えば、現行のネットワークに広く展開されているＴＤＤアップリンク−ダウンリンク構成２が、例として使用される。１個のキャリア上のアップリンク・サブフレーム２は、４つのＡＣＫ情報ビット又はＮＡＣＫ情報ビットのフィードバックをサポートしてよく、５個のキャリアのＴＤＤアップリンク−ダウンリンク構成２を用いるＣＡは、２０個のＡＣＫ情報ビット又はＮＡＣＫ情報ビットのフィードバックをサポートしてよい。具体的には、４８個の符号化されたビットは、リード・マラー（Reed  Muller、略してＲＭ）チャネル符号化が、元のＡＣＫ情報又はＮＡＣＫ情報ビット（例えば２０ビット）に対して実施され、次にスクランブルされ、２４個の４相位相変調（Quadrature  Phase  Shift  Keying、略してＱＰＳＫ）シンボルに変調された後に生成される。２４個の４相位相変調シンボルは、１つのサブフレームの２つのタイムスロットの中に、それぞれのタイムスロット内の１２個のＱＰＳＫシンボルと共に置かれる。具体的には、１２個のＱＰＳＫシンボルは、タイムスロットの１つの時間ドメイン・シンボル上の１２個の連続的なサブキャリア上に置かれる、すなわち、１２個のサブキャリアを、リソース・ブロック（Resource  Block、略してＲＢ）の１つの時間ドメイン・シンボル上に占有する。次に、それぞれのタイムスロットに関して、長さ５で拡散する直交カバー・コード（Orthogonal  Cover  Code、略してＯＣＣ）は、時間ドメイン内で実施され、１つのＲＢ内の５つの時間ドメイン・シンボルは、別々に占有される。符号分割多重化は、１つのＲＢ内で、異なるＵＥに対して、異なるＯＣＣを使用することによって実施されることがあり、残りの２つのシンボルは、リファレンス信号（Reference  Signal、略してＲＳ）を搬送するために使用される。最後に、ＤＦＴプリコーディングが実施され、ＤＦＴプリコーディング後に取得された情報は、基地局に送信される。
【００５９】
現行のＬＴＥシステムでは、伝送モードが、ＰＵＣＣＨフォーマット３モードにセットされる場合、具体的なデータ・スケジューリング及びＰＵＣＣＨチャネル・リソースを指示する具体的な手法は、以下のようなものである。
【００６０】
５つのＦＤＤダウンリンク・キャリアが構成される例が使用される。ＵＥが、１次キャリア上のＰＤＳＣＨの、及び１次ＰＤＣＣＨ上で搬送されるスケジューリング情報だけを受信する場合、ＡＣＫ情報又はＮＡＣＫ情報は、ＰＵＣＣＨフォーマット１ａ／１ｂを使用することによってフィードバックされ、ＰＵＣＣＨフォーマット１ａ／１ｂ内のチャネル・リソースは、１次ＰＤＣＣＨの制御チャネル・エレメント（Control  Channel  Element、略してＣＣＥ）のインデックスに暗黙のうちに対応する。ＵＥが、２次キャリア上のＰＤＳＣＨの、及び２次ＰＤＣＣＨ上で搬送されるスケジューリング情報だけを受信する場合、ＡＣＫ情報又はＮＡＣＫ情報は、ＰＵＣＣＨフォーマット３を使用することによってフィードバックされ、ＰＵＣＣＨフォーマット３内のチャネル・リソースは、２次ＰＤＣＣＨ上の２ビット・フィールドを使用することによって明示的に指示される。具体的には、ＰＵＣＣＨフォーマット３内の４つのチャネル・リソースは、上位レイヤの無線リソース制御（Radio  Resource  Control、略してＲＲＣ）シグナリングに従って事前に割り当てられる。具体的には、２次ＰＤＣＣＨ内の２つのビットは、４つのチャネル・リソースのうちのどれが、スケジューリングのそれぞれの時間中に使用されることになるのかを指示するために使用される。
【００６１】
現行のＰＵＣＣＨフォーマット３モードは、ＡＣＫ情報又はＮＡＣＫ情報のフィードバックを、ＴＤＤの単一キャリアを通じてさらにサポートする。具体的な手順は、ＵＥが、１次キャリア上のＰＤＳＣＨの、及び１次ＰＤＣＣＨ上で搬送されるスケジューリング情報だけを受信し、かつ、１次ＰＤＣＣＨ上のダウンリンク割当てインデックス（Downlink  Assignment  Index、略してＤＡＩ）フィールドが、「１」を指示する場合、ＡＣＫ情報又はＮＡＣＫ情報は、ＰＵＣＣＨフォーマット１ａ／１ｂを使用することによってフィードバックされ、ＰＵＣＣＨフォーマット１ａ／１ｂ内のチャネル・リソースは、１次ＰＤＣＣＨのＣＣＥインデックスに暗黙のうちに対応する。ＵＥが、１次キャリア上のＰＤＳＣＨの、及び１次ＰＤＣＣＨ上で搬送されるスケジューリング情報だけを受信し、かつ、１次ＰＤＣＣＨ上のＤＡＩフィールドが、「１」より大きい値を指示する場合、ＡＣＫ情報又はＮＡＣＫ情報は、ＰＵＣＣＨフォーマット３を使用することによってフィードバックされ、ＰＵＣＣＨフォーマット３内のチャネル・リソースは、１次ＰＤＣＣＨ上にあり、「１」より大きいＤＡＩ値を含む２ビット・フィールドを使用することによって明示的に指示される。
【００６２】
ＰＵＣＣＨフォーマット１ａ／１ｂ内のフォールバック・モードをサポートする前述のＡＣＫ情報又はＮＡＣＫ情報の伝送は、ＰＵＣＣＨフォーマット３のオーバヘッドを低減することを意図されている。ＰＵＣＣＨフォーマット３では、符号分割多重化は、１つのＲＢにおいて、５個のＵＥだけに対して実施されることができるが、ＰＵＣＣＨフォーマット１ａ／１ｂでは、符号分割多重化は、１つのＲＢにおいて、最大で３６個のＵＥに対して実施されることができるので、ＰＵＣＣＨフォーマット３のリソース・オーバヘッドは、最小化されることができる。
【００６３】
次に、本発明の実施形態におけるシステム・アーキテクチャ及びシナリオが、以下に提供される。
【００６４】
本発明の実施形態において、アクセス・ネットワーク・デバイスが具体的には基地局である例が、使用される。図２に示されるように、本発明の実施形態におけるシステム・アーキテクチャは、まだ現行のＣＡアーキテクチャに基づいており、基地局及び複数のＵＥを含む。ＣＡアーキテクチャでは、より多くのキャリアのＣＡが導入されることがあり、又は、５個のキャリアの現行ＣＡが維持されることがある。しかし、ＣＡアーキテクチャは、複数キャリアを、アップリンク−ダウンリンク構成５を用いてサポートしてよく、又は、ダウンリンク・サブフレームだけを有する３個以上のＴＤＤキャリアをサポートしてよく、又は、キャリアの組合せを、異なるアップリンク−ダウンリンク構成を用いてサポートしてよい。これは本発明の実施形態において具体的に限定されない。
【００６５】
本発明の実施形態におけるアクセス・ネットワーク・デバイスは、別のデバイス、例えば、ワイヤレス・ネットワーク・コントローラであってよいことに留意されたい。これは本発明の実施形態において具体的に限定されない。
【００６６】
以下は、本発明の実施形態における技術的ソリューションを、本発明の実施形態における添付の図面を参照しながら、明確かつ完全に説明する。明らかに、説明された実施形態は、本発明の実施形態のうちのいくつかに過ぎず、すべてではない。当業者によって、本発明の実施形態に基づいて、創造的な努力をすることなく取得されたすべての他の実施形態は、本発明の保護範囲内に入る。
【００６７】
実施形態１
本発明の本実施形態は、図２に示されたＵＥに具体的に適用されるＣＳＩの伝送方法を提供する。図３に示されるように、ＣＳＩの伝送方法は、以下のステップを含む。
【００６８】
Ｓ３０１：ＵＥは、ダウンリンク・データをアクセス・ネットワーク・デバイスから受信する。
【００６９】
Ｓ３０２：ＵＥは、ダウンリンク・データのフィードバック情報を送信するために使用されるアップリンク・サブフレームを決定する。アップリンク・サブフレームと関連付けられた第１のダウンリンク・サブフレームのセットは、第１のサブセット及び第２のサブセットを含み、第１のサブセットは、第２のサブセットの真のサブセットである。
【００７０】
Ｓ３０３：ＵＥは、フィードバック情報を送信するために使用されるチャネル・リソースを決定する。チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ここで、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１は、すべて正の整数である。
【００７１】
Ｓ３０４：ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第２のアップリンク・チャネル・リソースである場合、ＵＥは、フィードバック情報、及びｒ個のＣＳＩのうちのｔ個のＣＳＩを、第２のアップリンク・チャネル・リソースで送信し、ここで、ｒ≧２であり、２≦ｔ≦ｒであり、ｐ１、ｒ、及びｔは、すべて正の整数である。
【００７２】
具体的には、本発明の本実施形態におけるステップＳ３０２において、フィードバック情報は、ＵＥがダウンリンク・データを正常に受信したかどうかを指示するために使用される。例えば、ダウンリンク・データが正常に受信された場合、ＡＣＫは、フィードバック情報に対する指示として使用されてよい。ダウンリンク・データが正常に受信されなかった場合、ＮＡＣＫは、フィードバック情報に対する指示として使用されてよい。もちろん、本発明の本実施形態におけるフィードバック情報は、他の情報であってよい。これは本発明の本実施形態において限定されない。
【００７３】
具体的には、ダウンリンク・データをアクセス・ネットワーク・デバイスから受信した後、ＵＥは、事前構成された時系列、又はダウンリンク・サブフレームとアップリンク・サブフレームとの間のタイミング対応関係を使用することによって、フィードバック情報を送信するために使用されるアップリンク・サブフレームを決定してよく、すなわち、事前構成されたアップリンク−ダウンリンク・サブフレーム構成に従って、フィードバック情報を送信するために使用されるアップリンク・サブフレームを決定してよい。例えば、フィードバック情報を送信するためのアップリンク・サブフレームは、表２に従って決定されてよい。
【００７４】
アップリンク・サブフレームと関連付けられた第１のダウンリンク・サブフレームのセットは、第１のダウンリンク・サブフレームのセット内でスケジュールされたダウンリンク・データに対応するフィードバック情報が、アップリンク・サブフレーム内でフィードバックされる必要があるということを具体的に意味する。第１のダウンリンク・サブフレームのセットは、事前構成された時系列、又はダウンリンク・サブフレームとアップリンク・サブフレームとの間のタイミング対応関係を使用することによって決定され、すなわち、事前構成されたアップリンク−ダウンリンク・サブフレーム構成に従って決定される。例えば、アップリンク・サブフレームと関連付けられた第１のダウンリンク・サブフレームのセットは、表２に従って決定されてよい。
【００７５】
ＴＤＤの場合、本明細書で述べられたダウンリンク・サブフレームは、真のダウンリンク・サブフレーム及び特殊サブフレームを含むことに留意されたい。上述のように、特殊サブフレーム内で、ダウンリンク・データは伝送されることができるが、アップリンク・データは伝送されることができない。特殊サブフレーム内で伝送されたダウンリンク・データも、対応するフィードバック情報を有する必要がある。したがって、特殊サブフレームは、ダウンリンク・サブフレームとして考えられてよく、本発明の本実施形態において使用されてよい。
【００７６】
具体的には、本発明の本実施形態において、フィードバック情報を伝送するために使用されるアップリンク・サブフレームと関連付けられるすべてのダウンリンク・サブフレームのセットは、第１のダウンリンク・サブフレームのセットと呼ばれ、第１のダウンリンク・サブフレームのセットは、少なくとも２つのサブセット、すなわち、第１のサブセット及び第２のサブセットを含む。ダウンリンク・サブフレームのすべては、フィードバック情報をアップリンク・サブフレームで送信するために構成され、ＵＥに対して構成されたすべてのキャリア上にある、すべてのダウンリンク・サブフレームである。例えば、１５個のキャリアが、アクセス・ネットワーク・デバイスによってＵＥに対して構成され、かつ、同じアップリンク−ダウンリンク・サブフレーム構成２が、１５個のキャリアに対して構成される場合（詳細に関しては、表１及び表２を参照されたい）、アップリンク・サブフレームは、サブフレーム２であってよく、アップリンク・サブフレームと関連付けられるダウンリンク・サブフレームのすべて、すなわち、第１のダウンリンク・サブフレームのセットは、ダウンリンク・サブフレーム４、５、６、及び８を、１５個のキャリア上に含む。
【００７７】
具体的には、第１のダウンリンク・サブフレームのセットは、アクセス・ネットワーク・デバイスによって、ＵＥに対して、ＲＲＣシグナリングを使用することによって構成されてよく、又は、アクセス・ネットワーク・デバイスによって、ＵＥに対して、別の手法で構成されてよい。これは本発明の本実施形態において具体的に限定されない。
【００７８】
本発明の本実施形態は、第１のダウンリンク・サブフレームのセットが２つのサブセットを含む例を使用することによって説明されることに留意されたい。しかし、第１のダウンリンク・サブフレームのセットは、２つのセットに限定されず、３つ以上のセットを含んでよい。例えば、アクセス・ネットワーク・デバイスが、１５個のキャリアをＵＥに対して構成する場合、これらのキャリアに対応するダウンリンク・サブフレームは、３つのサブセット又は４つのサブセットにグループ化されてよい。もちろん、ダウンリンク・サブフレームは、より多くのセットにグループ化されてよい。これは本発明の本実施形態において具体的に限定されない。
【００７９】
本発明の本実施形態において、ＡがＢのサブセットである場合、Ａは、Ｂのいくつかのエレメントを含んでよく、又は、Ｂのすべてのエレメントを含んでよいことに留意されたい。例えば、第２のサブセットが、第１のダウンリンク・サブフレームのセットのサブセットである場合、第２のサブセットは、第１のダウンリンク・サブフレームのセット内のすべてのダウンリンク・サブフレームを含んでよく、又は、第１のダウンリンク・サブフレームのセット内のいくつかのダウンリンク・サブフレームだけを含んでよい。さらに、本発明の本実施形態において、ＡがＢの真のサブセットである場合、Ａは、Ｂのいくつかのエレメントだけを含むことができる。例えば、第１のサブセットは、第２のサブセットの真のサブセットであり、第１のサブセットは、第１のダウンリンク・サブフレームのセット内のいくつかのダウンリンク・サブフレームを含む。もちろん、第２のサブセットに属さず、第１のダウンリンク・サブフレームのセット内にある、ダウンリンク・サブフレームに関して、参照が、本発明の本実施形態における第１のサブセット及び第２のサブセットに関する方法に対してなされてよい。これは本発明の本実施形態において具体的に限定されない。
【００８０】
具体的には、ＵＥは、第１のサブセット及び第２のサブセットを、事前構成に従って決定してよい。ＴＤＤ  ＣＡが、例として使用される。同じサブフレーム番号を異なるキャリア上に有するサブフレームは、異なるダウンリンク・サブフレームであるということが本明細書で仮定される。事前構成された第１のサブセットは、ダウンリンク・サブフレーム４、５、６、及び８を、キャリア１から５上に含んでよく、第２のサブセットは、ダウンリンク・サブフレーム４、５、６、及び８を、キャリア１から１０上に含んでよい。第１のサブセットは、第２のサブセットに完全に含まれるということがわかる。上述のように、本発明の本実施形態において、第３のサブセットはさらに含まれてよい。第３のサブセットは、ダウンリンク・サブフレーム４、５、６、及び８を、キャリア１から１５上に具体的に含む。すなわち、第３のサブセットは、アクセス・ネットワーク・デバイスによってＵＥに対して構成され、アップリンク・サブフレームで送信されたフィードバック情報と関連付けられた、すべての事前構成されたダウンリンク・サブフレームを含む。第３のサブセットは、ユニバーサルセット、すなわち、第１のダウンリンク・サブフレームのセットである。第１のサブセットと第２のサブセットとの間の関係、第２のサブセットと第３のサブセットとの間の関係、及び第１のサブセットと第３のサブセットとの間の関係は、すべて、類似の構造を有するということがわかる。したがって、本発明の本実施形態におけるソリューションは、第２のサブセット及び第３のサブセット、並びに第１のサブセット及び第３のサブセットに直接及んでよい。もちろん、別の手法が、本発明の本実施形態において使用されてよい。詳細は本明細書で説明されない。
【００８１】
任意選択で、ＵＥは、第１のサブセット及び第２のサブセットを、事前構成されたルールを使用することによって決定してよい。例えば、事前構成されたルールは、第１のサブセット及び第２のサブセットを、キャリア・インデックス、サブフレーム・インデックス、及びフィードバック情報のビット量の閾値（例えば、２０ビット又は２１ビット又は２２ビット）に対する制約に従って決定することであってよい。このようにして、ＵＥは、第１のサブセットが、ダウンリンク・サブフレーム４、５、６、及び８を、キャリア１から５上に含むこと、並びに、第２のサブセットが、ダウンリンク・サブフレーム４、５、６、及び８を、キャリア１から１０上に含むことを決定する。第１のサブセットの選択方法は、キャリア１上のすべてのダウンリンク・サブフレームが、最初に、時間ドメインのサブフレーム・インデックスに従って順次選択され、次に、キャリア２上のダウンリンク・サブフレームが、周波数ドメインのキャリア・インデックスに基づいて、閾値によって定義されたダウンリンク・サブフレームの量が到達されるまで選択される、というものである。第２のサブセットの選択手法は、第１のサブセットの選択手法に似ている。別の例に関して、閾値が１０であると仮定すると、５個のキャリアが存在し、それぞれのキャリアがサブフレーム構成２を有する例は、まだ使用される。ダウンリンク・サブフレームを複数のセットにグループ化する１つの手法は、第１のサブセットが、ダウンリンク・サブフレーム４、５、６、及び８を、キャリア１及び２上に、並びに、ダウンリンク・サブフレーム４及び５を、キャリア３上に含み、第２のサブセットが、第１のサブセット内のすべてのダウンリンク・サブフレームに加えて、ダウンリンク・サブフレーム６及び８を、キャリア３上に、並びに、ダウンリンク・サブフレーム４、５、６、及び８を、キャリア４及び５上に含む、というものである。このケースでは、１個のキャリア上の異なるサブフレームは、異なるダウンリンク・サブフレームのセットにグループ化されてよい。例では、第１のサブセット及び第２のサブセットは、最初に時間ドメインのサブフレーム番号に従って、次に周波数ドメインのキャリア番号に従ってさらに選択されてよいということがわかる。
【００８２】
別の例に関して、事前構成されたルールは、キャリア・インデックス、サブフレーム・インデックス、及びフィードバック情報のビット量の閾値（例えば、２０ビット又は２１ビット又は２２ビット）に対する制約に従って、ビット量が閾値を越えず、最大キャリア量の範囲内にあるダウンリンク・サブフレームを、セットを形成するために決定することであってよい。このルールでは、同じキャリア上の異なるサブフレームは、互いに部分的に交わる複数のセットにグループ化されることができるので、セット内のダウンリンク・サブフレームの量は、閾値より小さくなることがある。例えば、第１のサブセットは、ダウンリンク・サブフレーム４、５、６、及び８を、キャリア１及び２上に含み、並びに、第２のサブセットは、第１のサブセット内のすべてのダウンリンク・サブフレームに加えて、ダウンリンク・サブフレーム４、５、６、及び８を、キャリア３から５上にさらに含む。
【００８３】
もちろん、事前構成されたルールは、第１のサブセット及び第２のサブセットを、最初に周波数ドメインのキャリア・インデックスに従って、次にフィードバック情報のビット量の閾値に関する時間ドメインのサブフレーム・インデックスに従って選択することであってよい。これは本発明の本実施形態において具体的に限定されない。
【００８４】
複数の事前構成されたルールが存在してよく、本発明の本実施形態の目的を実装できるあらゆる事前構成されたルールが、本発明の本実施形態に適用可能であるということがわかる。詳細は本明細書で説明されない。
【００８５】
任意選択で、ＵＥは、第１のサブセット及び第２のサブセットを、アクセス・ネットワーク・デバイスからのシグナリングを使用することによって決定してよい。アクセス・ネットワーク・デバイスは、ＵＥにグループ化ルールを、シグナリングを使用することによって通知してよく、又は、ＵＥに第１のサブセット及び第２のサブセットを直接通知してよい。これは本発明の本実施形態において具体的に限定されない。
【００８６】
もちろん、前述は、ＵＥによって第１のサブセット及び第２のサブセットを決定することに関する、実装形態のいくつかの例だけを提供する。もちろん、ＵＥは、第１のサブセット及び第２のサブセットを別の手法で決定してよい。これは本発明の本実施形態において具体的に限定されない。
【００８７】
具体的には、本発明の本実施形態におけるステップＳ３０４において、コードブック・サイズｐであるチャネル・フォーマットは、チャネル・フォーマットが、コードブック・サイズｐであるフィードバック情報のフィードバックを最大限サポートしてよいことを意味し、コードブック・サイズｑであるチャネル・フォーマットは、チャネル・フォーマットが、コードブック・サイズｑであるフィードバック情報のフィードバックを最大限サポートしてよいことを意味する。コードブック・サイズは、符号化する前のフィードバック情報の元のビットの量である。
【００８８】
具体的には、フィードバック情報の、及び第１のサブセットに対応するコードブック・サイズは、フィードバック情報の、及び第１のサブセット内に含まれるダウンリンク・サブフレームの量に従って決定されるコードブック・サイズである。フィードバック情報の、及び第２のサブセットに対応するコードブック・サイズは、フィードバック情報の、及び第２のサブセット内に含まれるダウンリンク・サブフレームの量に従って決定されるコードブック・サイズである。例えば、第１のサブセット内に含まれるダウンリンク・サブフレームは、キャリア１から５上のダウンリンク・サブフレーム４、５、６、及び８であり、全体で２０個のダウンリンク・サブフレームがある。それぞれのサブフレーム内でスケジューリングされたデータが、１つの符号語である場合、フィードバック情報の、及び第１のサブセットに対応するコードブック・サイズは、２０ビットである。それぞれのサブフレーム内でスケジューリングされたデータが、２つの符号語である場合、フィードバック情報の、及び第１のサブセットに対応するコードブック・サイズは、４０ビットである。フィードバック情報のコードブックは、最初にキャリアに従って、次にサブフレームに従って分類されてよく、分類は、キャリア・インデックス及びサブフレーム・インデックスに従って昇順に実施される。代替的には、フィードバック情報のコードブックは、最初にサブフレームに従って、次にキャリアに従って分類されてよく、分類は、キャリア・インデックス及びサブフレーム・インデックスに従って昇順に実施されてよい。これは本発明の本実施形態において具体的に限定されない。スケジューリングされていないダウンリンク・サブフレームに関して、位置は留保される必要があり、ＮＡＣＫは埋められる。第２のサブセットに関して、処理は類似しており、詳細は以下で説明されない。第１のサブセット、第２のサブセット、並びに第１のサブセット及び第２のサブセットに対応するフィードバック情報のコードブック・サイズは、表３に示された対応関係を有する。
【００８９】
【表３】
0006564052.tif 000004
【００９０】
具体的には、フィードバック情報の、及びサブセットに対応するコードブック・サイズと、チャネルのコードブック・サイズとの間の関係は、次のようになり、ｑ≧ｑ１であり、ｐ≧ｐ１である。すなわち、第１のアップリンク・チャネルのコードブック・サイズ（ｐ）は、フィードバック情報の、及び第１のサブセットに対応するコードブック・サイズ（ｐ１）より小さくなく、第２のアップリンク・チャネルのコードブック・サイズ（ｑ）は、フィードバック情報の、及び第２のサブセットに対応するコードブック・サイズ（ｑ１）より小さくない。このようにして、第１のサブセットに対応するフィードバック情報は、第１のアップリンク・チャネル・リソースで送信されてよく、第２のサブセットに対応するフィードバック情報は、第２のアップリンク・チャネル・リソースで送信されてよいことが保証され得る。もちろん、ｑ＞ｐなので、第１のサブセットに対応するフィードバック情報は、第２のアップリンク・チャネル・リソースで送信されてもよい。これは本発明の本実施形態において具体的に限定されない。
【００９１】
具体的には、第１のアップリンク・チャネル・リソースは、ｎ個のリソース・エレメントを含んでよく、第２のアップリンク・チャネル・リソースは、ｍ個のリソース・エレメントを含んでよく、ここで、ｍ≧ｎであり、ｍ及びｎの両方は正の整数である。このようにして、コードブック・サイズｐであるチャネル・フォーマットは、ｎ個のリソース・エレメントを有するチャネル・フォーマットとして考えられてよく、コードブック・サイズｑであるチャネル・フォーマットは、ｍ個のリソース・エレメントを有するチャネル・フォーマットとして考えられてよい。
【００９２】
ｍ個のリソース・エレメントを有するチャネル・フォーマット、及びｎ個のリソース・エレメントを有するチャネル・フォーマット内のリソース・エレメントは、リソース・ブロック（Resource  Block，略してＲＢ）、リソース・ブロック・ペア（Resource  Block  Pair，略してＲＢＰ）、サブＲＢ、又はサブＰＲＢのうちの任意の１つを含んでよい。例えば、リソース・エレメントがＲＢである場合、ｍ個のＲＢ、及びｎ個のＲＢがあり、ここで、ｎは１でよく、ｍは１より大きいか又は等しい正の整数でよい。サブＲＢはＲＢの一部である。サブＲＢは、１つのＲＢの周波数ドメイン幅より小さい周波数ドメイン幅を有してよく、例えば、４個のサブキャリアを占有してよく、１つのタイムスロット又はサブフレームを、時間ドメイン内に占有してよい。代替的には、サブＲＢは、１つのタイムスロットより小さい時間ドメイン幅を有してよく、例えば、３つの時間ドメイン・シンボルを占有してよく、１２個のサブキャリア、すなわち、１つのＲＢの周波数ドメイン幅を、周波数ドメイン内に占有してよい。代替的には、サブＲＢは、現行のＲＢの時間ドメイン長さより小さい時間ドメイン長さを、時間ドメイン内に占有し、現行のＲＢの周波数ドメイン幅より小さい周波数ドメイン幅を、周波数ドメイン内に占有する。サブＰＲＢは、サブＲＢのペアである。
【００９３】
本発明の本実施形態は、ｍ＝ｎであるケースに適用可能であることに留意されたい。例えば、可能な実装形態において、コードブック・サイズｐであるチャネル・フォーマット及びコードブック・サイズｑであるチャネル・フォーマットは、同じ量のリソース・エレメントを占有し、コードブック・サイズｐであるチャネル・フォーマットによって使用される直交符号の長さは、コードブック・サイズｑであるチャネル・フォーマットによって使用される直交符号の長さより大きい。
【００９４】
ｍ＝ｎのとき、すなわち、２つのチャネル・フォーマットによって占有される時間−周波数リソースが、同じ量のリソース・エレメントを有する、例えば、チャネル・フォーマットの両方が１つのＲＢを占有するとき、又は、２つのチャネル・フォーマットによって占有される時間−周波数リソースが、互いに完全に重なるとき、コードブック・サイズｑであるチャネル・フォーマットによって使用される直交符号の長さは、コードブック・サイズｐであるチャネル・フォーマットによって使用される直交符号の長さより小さいので、コードブック・サイズｑであるチャネル・フォーマット（又は、ｍ個のリソース・エレメントを有するチャネル・フォーマット）内で伝送されることができるフィードバック情報のコードブック・サイズは、コードブック・サイズｐであるチャネル・フォーマット（又は、ｎ個のリソース・エレメントを有するチャネル・フォーマット）内で伝送されることができるフィードバック情報のコードブック・サイズより大きいことに留意されたい。これは、コードブック・サイズを、同じ時間−周波数リソースの多重化効率を減少させることによって増加させる。例えば、ＰＵＣＣＨフォーマット３が、例として使用される。２つのフォーマットは、１つのＲＢに対してＰＵＣＣＨフォーマット３内の時間−周波数リソースをそれぞれ占有するが、コードブック・サイズｐであるチャネル・フォーマットにおける時間ドメインの直交符号の長さが５であることが仮定される。すなわち、最大で５個のＵＥのコードブック・サイズｐであるチャネル・フォーマットは、ＲＢ内で多重化されることができる。しかし、コードブック・サイズｑであるチャネル・フォーマットにおける時間ドメインの直交符号の長さが２及び３であることが仮定される。すなわち、最初の２個の時間ドメイン・シンボルは、長さ２である時間ドメインの直交符号を使用することによって拡散され、最後の３個の時間ドメイン・シンボルは、長さ３である時間ドメインの直交符号を使用することによって拡散される。タイムスロット内の他の２個の時間ドメイン・シンボルが、ＲＳを伝送するために使用されることが仮定される。このケースでは、ＲＢは、コードブック・サイズｑであるチャネル・フォーマットを２個のＵＥに対して収容してよいが、コードブック・サイズｑであるチャネル・フォーマットは、２つの時間ドメインの直交符号を使用することによって拡散されるので、コードブック・サイズｑであるチャネル・フォーマットによってサポートされるフィードバック情報のコードブック・サイズは、コードブック・サイズｐであるチャネル・フォーマットによってサポートされるフィードバック情報のコードブック・サイズの２倍である。それぞれの時間ドメインの直交符号の符号長は、コードブック・サイズｐであるチャネル・フォーマット内で使用される長さ５である時間ドメインの直交符号の符号長より小さいが、多重化能力は、より短い長さを有する２つの時間ドメインの直交符号の時間ドメインの直交符号の長さによって決定される。
【００９５】
具体的には、本発明の本実施形態におけるステップＳ３０４において、ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第２のアップリンク・チャネル・リソースであるとき、ＵＥは、フィードバック情報の、及び第１のサブセットに対応するコードブック・サイズに従って、フィードバック情報だけを第２のアップリンク・チャネル・リソースで送信する必要がある。したがって、フィードバック情報の、及び第１のサブセットに対応するコードブック・サイズが、第１のアップリンク・チャネルのコードブック・サイズより大きくないこと、並びに、第１のアップリンク・チャネルのコードブック・サイズが、第２のアップリンク・チャネルのコードブック・サイズより小さいことを考えると、第２のアップリンク・チャネル・リソースで搬送されることができるフィードバック情報の最大ビット量は制約されず、ＵＥは、フィードバック情報を、第２のアップリンク・チャネル・リソースで送信できるだけでなく、ｒ個のＣＳＩのうちのｔ個のＣＳＩを、第２のアップリンク・チャネル・リソースで送信することもでき、ここで、ｒ≧２であり、２≦ｔ≦ｒである。すなわち、ＵＥは、フィードバック情報、及びｒ個のＣＳＩのうちのｔ個のＣＳＩを、第２のアップリンク・チャネル・リソースで送信し、ｒ≧２であり、２≦ｔ≦ｒであり、複数個のＣＳＩが一斉に伝送されるようにする。
【００９６】
例えば、第２のアップリンク・チャネルのコードブック・サイズは４０ビットであり、フィードバック情報のコードブック・サイズは２０ビットであり、２０ビットのフィードバック情報に加えて、ＣＳＩは、第２のアップリンク・チャネル上でさらに搬送されてよいことが仮定される。ｒ＝２であり、それぞれのＣＳＩが１０ビットを有すると仮定すると、ＵＥは、ｒ個のＣＳＩのすべてを、アクセス・ネットワーク・デバイスに送信してよい。すなわち、ＵＥは、フィードバック情報、及びｒ個のＣＳＩのうちのｔ個のＣＳＩを、第２のアップリンク・チャネル・リソースで送信し、ここで、ｒ＝ｔ＝２である。
【００９７】
もちろん、ＵＥは、ｒ個のＣＳＩのうちのいくつかだけを、アクセス・ネットワーク・デバイスに送信してよく、すなわち、ｒ＞ｔである。例えば、ｒ＝３個のＣＳＩがアップリンク・サブフレーム内で構成されるが、このケースでは、フィードバック情報に加えて、ｔ＝２個のＣＳＩだけが、コードブック・サイズｑであるチャネル・フォーマット内でさらに搬送されることができる場合、ｒ個のＣＳＩのうちのｔ個のＣＳＩが、アクセス・ネットワーク・デバイスに送信されてよい。
【００９８】
ｒ個のＣＳＩを送信することが、アップリンク・サブフレーム内でＵＥに対して構成される場合、１個のＣＳＩを送信することが、ＣＳＩのタイプをキャリア上で送信すること、例えば、広帯域のチャネル品質情報（Channel  Quality  Information、略してＣＱＩ）をキャリア１上で送信すること、又は、ランク・インジケータ（Rank  Indicator、略してＲＩ）をキャリア２上で送信すること、又は、サブ帯域のＣＱＩをキャリア３上で送信すること、又は、プリコーディング行列インジケータ（Precoding  Matrix  Indicator、略してＰＭＩ）をキャリア４上で送信することを意味してよいことに留意されたい。これは本発明の本実施形態において具体的に限定されない。
【００９９】
さらに、図４に示されるように、ステップＳ３０３の後、本発明の本実施形態において提供されたＣＳＩの伝送方法は、以下のステップをさらに含んでよい。
【０１００】
Ｓ３０５：ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第１のアップリンク・チャネル・リソースである場合、ＵＥは、フィードバック情報、及びｒ個のＣＳＩのうちのｓ個のＣＳＩを、第１のアップリンク・チャネル・リソースで送信し、ここで、０≦ｓ≦ｒであり、ｓは正の整数である。
【０１０１】
具体的には、本発明の本実施形態におけるステップＳ３０５において、ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第１のアップリンク・チャネル・リソースであるとき、ＵＥは、第１のアップリンク・チャネル・リソースで、フィードバック情報の、及び第１のサブセットに対応するコードブック・サイズに従って、フィードバック情報を送信する。したがって、フィードバック情報の、及び第１のサブセットに対応するコードブック・サイズが、第１のアップリンク・チャネルのコードブック・サイズより大きくないことを考慮して、第１のアップリンク・チャネル・リソースで搬送されることができるフィードバック情報の最大ビット量は制約され、ＵＥは、１個又は複数個のＣＳＩを、第１のアップリンク・チャネル・リソースで送信してよく、又は、１個のＣＳＩでさえ、第１のアップリンク・チャネル・リソースで送信できない。すなわち、ＵＥは、フィードバック情報を、第１のアップリンク・チャネル・リソースで送信してよく、ｒ個のＣＳＩのうちのｓ個のＣＳＩを、第１のアップリンク・チャネル・リソースでさらに送信してよく、ここで、０≦ｓ≦ｒであり、ｓは正の整数である。
【０１０２】
例えば、第１のアップリンク・チャネルのコードブック・サイズが２０ビットであり、フィードバック情報のコードブック・サイズが２０ビットであると仮定すると、２０ビットのフィードバック情報が第１のアップリンク・チャネルで搬送された後、ＣＳＩは、第１のアップリンク・チャネルで搬送されることはできない。第１のアップリンク・チャネルのコードブック・サイズが２０ビットであり、フィードバック情報のコードブック・サイズが１０ビットであることが仮定される場合、１０ビットのフィードバック情報が、第１のアップリンク・チャネルで搬送された後、ＣＳＩは、第１のアップリンク・チャネルでさらに搬送されてよい。ｒ＝２であり、それぞれのＣＳＩが１０ビットを有すると仮定すると、ＵＥは、フィードバック情報、及びｒ個のＣＳＩのうちのｔ個のＣＳＩを、第１のアップリンク・チャネル・リソースで送信してよく、ここで、ｔ＝１である。
【０１０３】
上述のように、ＵＥは、ｒ個のＣＳＩのうちのいくつかだけを、アクセス・ネットワーク・デバイスに送信してよく、又は、ｒ個のＣＳＩのすべてを、アクセス・ネットワーク・デバイスに送信してよい。これは本発明の本実施形態において具体的に限定されない。
【０１０４】
さらに、図５に示されるように、ステップＳ３０３の後、本発明の本実施形態において提供されたＣＳＩの伝送方法は、以下のステップをさらに含んでよい。
【０１０５】
Ｓ３０６：ｒ個のＣＳＩを送信することが、アップリンク・サブフレーム内でＵＥに対して構成され、かつ、フィードバック情報のコードブック・サイズが、第２のサブセットに対応し、かつ、ＵＥによって決定されたチャネル・リソースが、第２のアップリンク・チャネル・リソースである場合、ＵＥは、フィードバック情報、及びｒ個のＣＳＩのうちのｓ個のＣＳＩを、第２のアップリンク・チャネル・リソースで送信し、ここで、０≦ｓ≦ｒであり、ｑ１及びｓは正の整数である。
【０１０６】
具体的には、本発明の本実施形態におけるステップＳ３０６において、ｒ個のＣＳＩを送信することが、アップリンク・サブフレーム内でＵＥに対して構成され、かつ、フィードバック情報のコードブック・サイズが、第２のサブセットに対応し、かつ、ＵＥによって決定されたチャネル・リソースが、第２のアップリンク・チャネル・リソースである場合、ＵＥは、第２のアップリンク・チャネル・リソースで、フィードバック情報の、及び第２のサブセットに対応するコードブック・サイズに従って、フィードバック情報を送信する。したがって、フィードバック情報の、及び第２のサブセットに対応するコードブック・サイズが、第２のアップリンク・チャネルのコードブック・サイズより大きくないことを考慮して、第２のアップリンク・チャネル・リソースで搬送されることができるフィードバック情報の最大ビット量は制約され、ＵＥは、１個又は複数個のＣＳＩを第２のアップリンク・チャネル・リソースで送信してよく、又は、１個のＣＳＩでさえ第２のアップリンク・チャネル・リソースで送信できない。すなわち、ＵＥは、フィードバック情報を、第２のアップリンク・チャネル・リソースで送信してよく、ｒ個のＣＳＩのうちのｓ個のＣＳＩを、第２のアップリンク・チャネル・リソースでさらに送信してよく、ここで、０≦ｓ≦ｒであり、ｓは正の整数である。
【０１０７】
例えば、第２のアップリンク・チャネルのコードブック・サイズが４０ビットであり、フィードバック情報のコードブック・サイズが４０ビットであると仮定すると、４０ビットのフィードバック情報が第２のアップリンク・チャネルで搬送された後、ＣＳＩは、第２のアップリンク・チャネルで搬送されることができない。第２のアップリンク・チャネルのコードブック・サイズが４０ビットであり、フィードバック情報のコードブック・サイズが２０ビットであることが仮定される場合、２０ビットのフィードバック情報が第２のアップリンク・チャネルで搬送された後、ＣＳＩは、第２のアップリンク・チャネルでさらに搬送されてよい。ｒ＝２であり、それぞれのＣＳＩが１０ビットを有すると仮定すると、ＵＥは、ｒ個のＣＳＩのすべてをアクセス・ネットワーク・デバイスに送信してよい。すなわち、ＵＥは、フィードバック情報、及びｒ個のＣＳＩのうちのｓ個のＣＳＩを、第２のアップリンク・チャネル・リソースで送信し、ここで、ｒ＝ｓ＝２である。
【０１０８】
もちろん、上述のように、ＵＥは、ｒ個のＣＳＩのうちのいくつかだけを、アクセス・ネットワーク・デバイスに送信してよく、すなわち、ｒ＞ｓである。例えば、ｒ＝３個のＣＳＩがアップリンク・サブフレーム内で構成されるが、このケースでは、フィードバック情報に加えて、ｓ＝２個のＣＳＩだけが、コードブック・サイズｑであるチャネル・フォーマット内でさらに搬送されることができる場合、ｒ個のＣＳＩのうちのｓ個のＣＳＩは、アクセス・ネットワーク・デバイスに送信されてよい。
【０１０９】
本発明の本実施形態において、より多くのキャリアのＣＡをサポートするために、方法は、現行のＰＵＣＣＨフォーマット３の容量を拡張すること、例えば、現行のＰＵＣＣＨフォーマット３の容量を、１つのＲＢから複数ＲＢに拡張することであることに留意されたい。具体的には、２つのＲＢに対するＰＵＣＣＨフォーマット３が、例として使用される。それぞれのタイムスロットによって占有される１２個のサブキャリアだけが、２４個のサブキャリアに、時間ドメインのＯＣＣスペクトラム拡散を変更することなく拡張される必要がある。このようにして、２重ＲＢのＰＵＣＣＨフォーマット３は、４０ビットのフィードバック情報の伝送をサポートすることを比例的に可能にされてよく、より多くのキャリアのＣＡ（例えば１０個のキャリア）がサポートされてよい。４個以上のＲＢへの拡張のソリューションは類似しており、拡張は周波数ドメイン内だけで実施される必要がある。しかし、単一ＲＢのＰＵＣＣＨフォーマット３の多重化能力が制約されるために、単一ＲＢのＰＵＣＣＨフォーマット３のオーバヘッドは、ＰＵＣＣＨフォーマット１ａ／１ｂのオーバヘッドより高い。複数ＲＢのＰＵＣＣＨフォーマット３への拡張の場合、複数ＲＢのＰＵＣＣＨフォーマット３の多重化能力は、単一ＲＢのＰＵＣＣＨフォーマット３の多重化能力と同じだが、占有されたリソースは、ＲＢの拡張と共に増大されるので、オーバヘッドはより高い。加えて、ＲＢの拡張に加えて、別の手法が使用されてよい。例えば、ＲＢの粒度より小さいリソース・エレメントは、大容量のＰＵＣＣＨを導入するために使用されてよく、又は、拡散符号でさえ、キャンセルされてよく、時間／周波数分割のＰＵＣＣＨ多重化は、直接使用されてよい。これは本発明の本実施形態において具体的に限定されない。
【０１１０】
２重ＲＢのＰＵＣＣＨフォーマット３が、例として使用される。１０個のキャリアのＣＡがサポートされることが仮定される。すなわち、１０個のキャリアがスケジュールリングされた場合、２重ＲＢのＰＵＣＣＨフォーマット３は使用される。しかし、１０個のキャリアがＵＥに対して構成された後、具体的には、複数の態様における因子が、１０個のキャリアから、ＵＥに対して、データ・スケジューリングのために選択されるキャリアの量を決定するのに考慮される必要がある。１０個のキャリアすべてが、それぞれのサブフレーム内でスケジューリングされるわけではない。具体的には、スケジューリングされたキャリアの量は、現行のサービス負荷に従って決定される。スケジューリングの要件があるとしても、ＰＤＣＣＨリソース領域の容量は、さらに考慮される必要がある。ＵＥのＰＤＣＣＨがスケジューリングされることができない場合、ＰＤＣＣＨに対応するキャリア上のデータも、スケジューリングされることができない。すなわち、１０個のキャリアが構成されたとしても、サブフレーム内で、いくつかのキャリア上だけのデータが、伝送のためにスケジューリングされる必要がある。このようにして、動的なＰＵＣＣＨフォーマットのフォールバックの手法は導入されてよい。例えば、第１の５つのキャリア上だけのデータがスケジューリングされた場合、動的なフォールバックは、フィードバック情報を伝送するために、単一ＲＢのＰＵＣＣＨフォーマット３にスイッチするために実施されてよい。１０個のキャリアがスケジューリングされる場合、２重ＲＢのＰＵＣＣＨフォーマット３は、フィードバック情報を伝送するために使用されてよく、それによって、ＰＵＣＣＨフォーマット３のオーバヘッドを低減する。
【０１１１】
さらに、本発明の本実施形態において提供されたＣＳＩの伝送方法において、ＵＥによって、ダウンリンク・データをアクセス・ネットワーク・デバイスから受信すること（ステップＳ３０１）は、
ＵＥによって、第２のダウンリンク・サブフレームのセットに含まれるダウンリンク・サブフレーム内でダウンリンク・データを受信することであって、第２のダウンリンク・サブフレームのセットは、第１のダウンリンク・サブフレームのセット内のすべてのスケジューリングされたダウンリンク・サブフレームを含むこと、又は、
第２のダウンリンク・サブフレームのセットは、ＵＥによって活性化されたすべてのキャリア上にある第１のダウンリンク・サブフレームのセット内のダウンリンク・サブフレームを含むこと
を具体的に含んでよい。
【０１１２】
具体的には、第２のダウンリンク・サブフレームのセットは、スケジューリング・セット、又はアクティブ・セットであってよい。第２のダウンリンク・サブフレームが、スケジューリング・セットである場合、第２のダウンリンク・サブフレームのセットは、以下の手法で具体的に取得されてよく、
ダウンリンク・データを受信することの前に、ＵＥによって、アクセス・ネットワーク・デバイスからの、ダウンリンク・データをスケジュールするためのダウンリンク制御情報を受信して、ダウンリンク制御情報に従って、どのダウンリンク・サブフレームがスケジューリングされるかを決定するようにし、スケジューリングされたダウンリンク・サブフレームは、第２のダウンリンク・サブフレームのセットを形成し、第２のダウンリンク・サブフレームのセットは、第１のダウンリンク・サブフレームのセットのサブセットである。
【０１１３】
１つ又は複数のスケジューリングされたダウンリンク・サブフレームが存在してよい。１つのスケジューリングされたダウンリンク・サブフレームが存在するとき、スケジューリングされたダウンリンク・サブフレームは、２次キャリア上のダウンリンク・サブフレームであってよく、又は、１次キャリア上にあり、ＤＡＩフィールド値が１より大きいが、１次キャリア上のスケジューリングされたＰＤＳＣＨのためのダウンリンク・サブフレームではない制御チャネルによってスケジューリングされ、ＤＡＩフィールドが１を指示するＰＤＣＣＨに対応するダウンリンク・サブフレームであってよい。
【０１１４】
第２のダウンリンク・サブフレームがアクティブ・セットである場合、ＵＥに対して実際にスケジューリングされたダウンリンク・サブフレームは、第２のダウンリンク・サブフレームのセットのサブセット内のダウンリンク・サブフレームであることが理解されよう。アクティブな第２のダウンリンク・サブフレームのセットは、アクセス・ネットワーク・デバイスによって、ＵＥに対して、メディア・アクセス制御（Ｍｅｄｉａ  Ａｃｃｅｓｓ  Ｃｏｎｔｒｏｌ，略してＭＡＣ）のシグナリングを用いて構成されてよく、又は、アクセス・ネットワーク・デバイスによって、ＵＥに対して、別の手法で構成されてよい。これは本発明の本実施形態において具体的に限定されない。
【０１１５】
本発明の本実施形態は、第２のダウンリンク・サブフレームのセットが、実際にスケジューリングされたダウンリンク・サブフレームのセットであるという仮定で説明されるが、本発明の本実施形態は、第２のダウンリンク・サブフレームのセットが、アクティブなダウンリンク・サブフレームのセットであるケースに適用可能でもあることに留意されたい。これは本発明の本実施形態において具体的に限定されない。
【０１１６】
本発明の本実施形態において、１５個のキャリアがＵＥに対して構成され、最大で６０ビットのフィードバック情報がアップリンク・サブフレーム２上でフィードバックされることが必要であることが仮定されるということに留意されたい。しかし、キャリアの量、又は、ＵＥに対してサブフレーム内でスケジューリングされたダウンリンク・サブフレームは、前述の最大値より小さくてよく、ＵＥの一時的なサービス負荷、及び制御チャネルの容量などの複数の因子に具体的に関係する。
【０１１７】
さらに、ｒ個のＣＳＩを送信することが、アップリンク・サブフレーム内でＵＥに対して構成され、かつ、第２のダウンリンク・サブフレームのセットが、第１のサブセットのサブセットである場合、ＵＥによって決定されたチャネル・リソースは、第１のアップリンク・チャネル・リソース若しくは第２のアップリンク・チャネル・リソースであり、又は、
ｒ個のＣＳＩを送信することが、アップリンク・サブフレーム内でＵＥに対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、ＵＥによって決定されたチャネル・リソースは、第２のアップリンク・チャネル・リソースである。
【０１１８】
例えば、第１のサブセットは、ダウンリンク・サブフレーム４、５、６、及び８を、キャリア１から５上に含むこと、並びに、第２のダウンリンク・サブフレームのセットは、サブフレーム４、５、６、及び８を、キャリア１上に含むことと、サブフレーム４、５、及び６を、キャリア２上に含むことと、サブフレーム４及び５を、キャリア３上に含むこととが仮定され、ここで、キャリア１は１次キャリアである。したがって、第２のダウンリンク・サブフレームのセットは、第１のサブセットのサブセットである。このケースでは、ＵＥによって決定されたチャネル・リソースは、第１のアップリンク・チャネル・リソースであってよく、又は、第２のアップリンク・チャネル・リソースであってよい。
【０１１９】
例えば、第１のサブセットは、ダウンリンク・サブフレーム４、５、６、及び８を、キャリア１から５上に含むこと、並びに、第２のサブセットは、ダウンリンク・サブフレーム４、５、６、及び８を、キャリア１から１０上に含むことが仮定される。第２のダウンリンク・サブフレームのセットは、サブフレーム４、５、６、及び８を、キャリア１上に、サブフレーム４、５、及び６を、キャリア３上に、並びに、サブフレーム４及び５を、キャリア６上に含む。すなわち、第２のダウンリンク・サブフレームのセットは、第１のサブセット内のダウンリンク・サブフレーム、及び第２のサブセットに属するが第１のサブセットに属さないダウンリンク・サブフレームを含み、第２のダウンリンク・サブフレームのセットは、第２のサブセットのサブセットである。このケースでは、ＵＥによって決定されたチャネル・リソースは、第２のアップリンク・チャネル・リソースである。
【０１２０】
さらに、ＵＥによって、フィードバック情報を送信するために使用されるチャネル・リソースを決定すること（ステップＳ３０３）の前に、方法は、
ＵＥによって、リソース指示情報をアクセス・ネットワーク・デバイスから受信することであって、リソース指示情報は、フィードバック情報を送信するために、チャネル・リソースを指示するために使用される、受信すること
をさらに含んでよい。
【０１２１】
ＵＥによって、フィードバック情報を送信するために使用されるチャネル・リソースを決定することは、
ＵＥによって、リソース指示情報、並びにリソース指示情報内の状態セットにおける異なる状態と、チャネル・リソース・セット内の異なるチャネル・リソースとの間の、並びにアクセス・ネットワーク・デバイスによってＵＥに対して事前構成されたマッピング関係に従って、フィードバック情報を送信するために使用されるチャネル・リソースを決定することであって、チャネル・リソース・セットは、第１のアップリンク・チャネル・リソース及び第２のアップリンク・チャネル・リソースを含む、決定すること
を含む。
【０１２２】
具体的には、リソース指示情報は、ダウンリンク・データをスケジューリングするためのダウンリンク制御情報内に含まれてよく、リソース指示情報を含むダウンリンク制御情報内のＤＡＩは１ではない。例えば、ＤＡＩは１より大きい。代替的には、ＦＤＤのＣＡシステムの場合、リソース指示情報は、１次キャリアをスケジューリングするためのダウンリンク制御情報に含まれないが、２次キャリアをスケジューリングするためのダウンリンク制御情報にだけ含まれる。
【０１２３】
リソース指示情報は、ダウンリンク制御情報内の明示的なビットであってよい。例えば、リソース指示情報は、制御チャネル上の少なくとも１つのビット内で搬送され、異なるＰＵＣＣＨチャネル・リソースは、少なくとも１つのビットの異なる状態フラグに対して使用される。任意選択で、暗示的な指示手法が、リソース指示情報に対して使用されてよい。例えば、制御チャネル上の異なるスクランブル符号は、異なるチャネル・リソースを指示する。具体的には、リソース指示情報は、ＡＣＫ／ＮＡＣＫリソース・インジケータ（ACK/NACK  resource  indicator、略してＡＲＩ）であってよい。
【０１２４】
例えば、リソース指示情報内の状態セットにおける異なる状態と、チャネル・リソース・セット内の異なるチャネル・リソースとの間の、並びにアクセス・ネットワーク・デバイスによってＵＥに対して事前構成されたマッピング関係は、表４に示されてよい。
【０１２５】
【表４】
0006564052.tif 000005
【０１２６】
マッピング関係は、アクセス・ネットワーク・デバイスによってＵＥに対して、ＲＲＣ専用シグナリングを使用することによって構成されてよく、又は、アクセス・ネットワーク・デバイスによってＵＥに対して、別の手法で構成されてよい。これは本発明の本実施形態において具体的に限定されない。
【０１２７】
表４は、アクセス・ネットワーク・デバイスによってＵＥに対して構成されたマッピング関係の具体例に過ぎないことに留意されたい。もちろん、アクセス・ネットワーク・デバイスは、別のマッピング関係をＵＥに対して構成してよい。これは本発明の本実施形態において具体的に限定されない。
【０１２８】
具体的には、リソース指示情報をアクセス・ネットワーク・デバイスから受信することの後、ＵＥは、リソース指示情報及びマッピング関係に従って、フィードバック情報を送信するために使用されるチャネル・リソースを決定してよい。
【０１２９】
例えば、このケースでは、第２のダウンリンク・サブフレームのセットが、第１のサブセット内のダウンリンク・サブフレームだけを含むとしても、ＵＥによって受信されたリソース指示情報の状態が１０である場合、表４によれば、フィードバック情報を、２重ＲＢのＰＵＣＣＨチャネル・リソース１で送信することを指示する。したがって、ＵＥは、２重ＲＢのＰＵＣＣＨフォーマットを、２重ＲＢのＰＵＣＣＨフォーマット３内のチャネル・リソース１でフィードバック情報を送信するために使用することを決定する。このケースでは、ＵＥはまた、ＵＥが、検出の際に、ダウンリンク・サブフレームを第１のサブセットの外側でスケジュールするＰＤＣＣＨを見落とすことを発見する。ＰＤＣＣＨが検出の際に見落とされないとき、第２のダウンリンク・サブフレームのセットが、第１のサブセット内のダウンリンク・サブフレームだけを含むことを考慮して、基地局は、ＵＥに、単一ＲＢのＰＵＣＣＨチャネル・リソースを使用するように命令する。対照的に、単一ＲＢのＰＵＣＣＨフォーマット３が、ＵＥが第２のダウンリンク・サブフレームのセットが第１のサブセットのサブセットであることを発見する限り使用される場合、一旦、制御チャネルが検出の際に見落とされると、基地局は、ＵＥに、フィードバック情報を、２重ＲＢ−ＰＵＣＣＨフォーマット３を使用することによって伝送することを期待するが、ＵＥは、実際には、フィードバック情報を、単一ＲＢのＰＵＣＣＨフォーマット３を使用することによって伝送する。したがって、不整合の問題が、ＵＥと基地局との間に発生し、結果的に基地局は、フィードバック情報を復号することに失敗する。基地局が、チャネル・リソースがＵＥに割り当てられないこと、及び、チャネル・リソースを別のＵＥに割り当てることを考えるが、別のＵＥに既に割り当てられ、単一ＲＢのＰＵＣＣＨフォーマット３内にあるチャネル・リソースが、現行のＵＥによって、フィードバック情報を送信するために使用される場合、干渉が、別のＵＥのＰＵＣＣＨフォーマット３に対して引き起こされる。したがって、本実施形態では、リソース指示情報は、単一ＲＢのＰＵＣＣＨフォーマット３又は２重ＲＢ−ＰＵＣＣＨフォーマット３のどちらを使用するかを指示するために使用される。したがって、ＵＥが、リソース指示情報が２重ＲＢのＰＵＣＣＨフォーマット３の使用を指示することを決定するなら、ＵＥは、フィードバック情報を、２重ＲＢのＰＵＣＣＨフォーマット３を使用することによって送信し、それによって、制御チャネルが検出の際に見落とされることにより、ＰＵＣＣＨチャネル・リソースが未解決であるという問題を解決する。
【０１３０】
さらに、本発明の本実施形態において、リソース指示情報は、フィードバック情報のコードブック・サイズを指示するためにさらに使用され、方法は、
ＵＥによって、フィードバック情報のコードブック・サイズを、リソース指示情報、並びにリソース指示情報内の状態セットにおける異なる状態と、コードブック・サイズのセット内の異なるコードブック・サイズとの間の、及びアクセス・ネットワーク・デバイスによってＵＥに対して事前構成されたマッピング関係に従って決定することであって、コードブック・サイズのセットは、第１のサブセットに対応するコードブック・サイズ、及び第２のサブセットに対応するコードブック・サイズを含む、決定すること
をさらに含む。
【０１３１】
すなわち、本発明の本実施形態において、リソース指示情報は、フィードバック情報を送信するために使用されるチャネル・リソースを指示するためだけでなく、（第１のサブセットに対応するコードブック・サイズｐ１、又は第２のサブセットに対応するコードブック・サイズｑ１を含む）フィードバック情報のコードブック・サイズを指示するために使用される。
【０１３２】
例えば、リソース指示情報内の状態セットにおける異なる状態と、コードブック・サイズのセットにおける異なるコードブック・サイズとの間の、及び、アクセス・ネットワーク・デバイスによってＵＥに対して事前構成されたマッピング関係は、表５に示されてよい。
【０１３３】
【表５】
0006564052.tif 000006
【０１３４】
表５は、アクセス・ネットワーク・デバイスによってＵＥに対して構成されたマッピング関係の具体例に過ぎないことに留意されたい。もちろん、アクセス・ネットワーク・デバイスは、別のマッピング関係をＵＥに対して構成してよい。これは本発明の本実施形態において具体的に限定されない。
【０１３５】
具体的には、リソース指示情報をアクセス・ネットワーク・デバイスから受信することの後、ＵＥは、リソース指示情報及び表５に示すマッピング関係に従って、フィードバック情報のコードブック・サイズを決定してよい。詳細は本発明の本実施形態において本明細書で説明されない。
【０１３６】
任意選択で、リソース指示情報は、フィードバック情報のコードブック・サイズに対応するサブセットを指示するためにさらに使用され、方法は、
ＵＥによって、リソース指示情報、並びにリソース指示情報内の状態セットにおける異なる状態と、コードブック・サイズに対応するサブセットのセット内の異なるコードブック・サイズに対応するサブセットとの間の、及びアクセス・ネットワーク・デバイスによってＵＥに対して事前構成されたマッピング関係に従って、フィードバック情報のコードブック・サイズに対応するサブセットを決定することであって、コードブック・サイズに対応するサブセットのセットは、第１のサブセット及び第２のサブセットを含む、決定すること
をさらに含む。
【０１３７】
すなわち、本発明の本実施形態において、リソース指示情報は、フィードバック情報を送信するために使用されるチャネル・リソースを指示するためだけでなく、フィードバック情報のコードブック・サイズに対応する（第１のサブセット又は第２のサブセットを含む）サブセットを指示するためにも使用される。
【０１３８】
例えば、リソース指示情報内の状態セットにおける異なる状態と、コードブック・サイズに対応するサブセットのセット内の異なるコードブック・サイズに対応するサブセットとの間の、及びアクセス・ネットワーク・デバイスによってＵＥに対して事前構成されたマッピング関係は、表６に示されてよい。
【０１３９】
【表６】
0006564052.tif 000007
【０１４０】
表６は、アクセス・ネットワーク・デバイスによってＵＥに対して構成されたマッピング関係の具体例に過ぎないことに留意されたい。もっとも、アクセス・ネットワーク・デバイスは、別のマッピング関係をＵＥに対して構成してよい。これは本発明の本実施形態において具体的に限定されない。
【０１４１】
具体的には、リソース指示情報をアクセス・ネットワーク・デバイスから受信することの後、ＵＥは、リソース指示情報、及び表６に示されたマッピング関係に従って、フィードバック情報のコードブック・サイズに対応するサブセットを決定してよい。詳細は本発明の本実施形態において本明細書で説明されない。
【０１４２】
表４に示されたマッピング関係、及び表５若しくは表６に示されたマッピング関係は、アクセス・ネットワーク・デバイスによって、ＵＥに対して別々に構成されてよく、又は、アクセス・ネットワーク・デバイスによって、ＵＥに対して一斉に構成されてよいことに留意されたい。例えば、状態１０は、第２のアップリンク・チャネル・リソース及びコードブック・サイズｐ１の使用を指示するために使用されるが、状態１１は、第２のアップリンク・チャネル・リソース及びコードブック・サイズｑ１の使用を指示する。これは本発明の本実施形態において具体的に限定されない。
【０１４３】
さらに、ＵＥによって、フィードバック情報を送信するために使用されるチャネル・リソースを決定することの後に、方法は、
ＣＳＩ送信が、アップリンク・サブフレーム内でＵＥに対して構成されず、かつ、フィードバック情報のコードブック・サイズが、第１のサブセットに対応し、かつ、ＵＥによって決定されたチャネル・リソースが、第１のアップリンク・チャネル・リソースである場合、ＵＥによって、フィードバック情報を、第１のアップリンク・チャネル・リソースで送信すること、又は、
ＣＳＩ送信が、アップリンク・サブフレーム内でＵＥに対して構成されず、かつ、フィードバック情報のコードブック・サイズが、第２のサブセットに対応し、かつ、ＵＥによって決定されたチャネル・リソースが、第２のアップリンク・チャネル・リソースである場合、ＵＥによって、フィードバック情報を、第２のアップリンク・チャネル・リソースで送信すること
をさらに含む。
【０１４４】
具体的には、ＣＳＩ送信が、アップリンク・サブフレーム内でＵＥに対して構成されない場合、現行のチャネル・リソース指示情報の指示方法は、ＣＳＩ送信が構成されるシナリオにおける指示方法とは異なる。現行のチャネル・リソース指示情報は、フィードバック情報を送信するために、チャネル・リソースだけを指示するために使用されてよく、フィードバック情報のコードブック・サイズ、又はフィードバック情報のコードブック・サイズに対応するサブセットを指示するために使用される必要はない。チャネル・リソース指示情報に従って、ＵＥによって決定されるチャネル・リソースが、第２のアップリンク・チャネル・リソースである場合、ＵＥは、コードブック・サイズｑ１に従って、フィードバック情報を第２のアップリンク・チャネル・リソースで直接伝送してよい。対照的に、ＵＥによってチャネル・リソース指示情報に従って決定されたチャネル・リソースが、第１のアップリンク・チャネル・リソースである場合、ＵＥは、コードブック・サイズｑ１に従って、フィードバック情報を第１のアップリンク・チャネル・リソースで直接伝送してよい。
【０１４５】
さらに、ＣＳＩ送信が、アップリンク・サブフレーム内でＵＥに対して構成されず、かつ、第２のダウンリンク・サブフレームのセットが、第１のサブセットのサブセットである場合、ＵＥによって決定されたチャネル・リソースは、第１のアップリンク・チャネル・リソースであり、又は、
ＣＳＩ送信が、アップリンク・サブフレーム内でＵＥに対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、ＵＥによって決定されたチャネル・リソースは、第２のアップリンク・チャネル・リソースである。
【０１４６】
例えば、第１のサブセットは、ダウンリンク・サブフレーム４、５、６、及び８を、キャリア１から５上に含むこと、並びに、第２のダウンリンク・サブフレームのセットは、サブフレーム４、５、６、及び８を、キャリア１上に含むことと、サブフレーム４、５、及び６を、キャリア２上に含むことと、サブフレーム４及び５を、キャリア３上に含むこととが仮定され、ここで、キャリア１は１次キャリアである。したがって、第２のダウンリンク・サブフレームのセットは、第１のサブセットのサブセットである。このケースでは、ＣＳＩ送信は、アップリンク・サブフレーム内でＵＥに対して構成されないので、すなわち、ＵＥは、フィードバック情報だけを送信する必要があるので、ＵＥによって決定されたチャネル・リソースは、第１のアップリンク・チャネル・リソースである。
【０１４７】
例えば、第１のサブセットは、ダウンリンク・サブフレーム４、５、６、及び８を、キャリア１から５上に含むこと、並びに、第２のサブセットは、ダウンリンク・サブフレーム４、５、６、及び８を、キャリア１から１０上に含むことが仮定される。第２のダウンリンク・サブフレームのセットは、サブフレーム４、５、６、及び８を、キャリア１上に、サブフレーム４、５、及び６を、キャリア３上に、並びに、サブフレーム４及び５を、キャリア６上に含む。すなわち、第２のダウンリンク・サブフレームのセットは、第１のサブセット内のダウンリンク・サブフレーム、及び第２のサブセットに属するが第１のサブセットに属さないダウンリンク・サブフレームを含み、第２のダウンリンク・サブフレームのセットは、第２のサブセットのサブセットである。このケースでは、ＵＥによって決定されたチャネル・リソースは、第２のアップリンク・チャネル・リソースである。
【０１４８】
具体的には、本発明の本実施形態において、ＣＳＩ送信は、アップリンク・サブフレーム内でＵＥに対して構成されないので、ＵＥは、フィードバック情報を、第１のアップリンク・チャネル・リソースで、第１のサブセットに対応するコードブック・サイズに従って送信し、又は、ＵＥは、フィードバック情報を、第２のアップリンク・チャネル・リソースで、第２のサブセットに対応するコードブック・サイズに従って送信する。動的なＰＵＣＣＨフォーマットのフォールバックの手法を導入することによって、ＰＵＣＣＨフォーマット３のオーバヘッドは低減される。
【０１４９】
実施形態２
本発明の本実施形態は、アクセス・ネットワーク・デバイスに具体的に適用されるＣＳＩの伝送方法を提供する。図６に示されるように、方法は以下のステップを含む。
【０１５０】
Ｓ６０１：アクセス・ネットワーク・デバイスは、ダウンリンク・データをＵＥに送信する。
【０１５１】
Ｓ６０２：アクセス・ネットワーク・デバイスは、ダウンリンク・データのフィードバック情報を受信するために使用されるアップリンク・サブフレーム決定する。アップリンク・サブフレームと関連付けられた第１のダウンリンク・サブフレームのセットは、第１のサブセット及び第２のサブセットを含み、第１のサブセットは、第２のサブセットの真のサブセットである。
【０１５２】
具体的には、本発明の本実施形態におけるフィードバック情報の関連説明に関しては、実施形態１を参照されたい。詳細は本明細書で再び説明されない。
【０１５３】
具体的には、アクセス・ネットワーク・デバイスは、事前構成に従って、フィードバック情報を受信するために使用されるアップリンク・サブフレームを決定してよい。例えば、フィードバック情報を受信するために使用されるアップリンク・サブフレームは、事前構成された時系列、又はダウンリンク・サブフレームとアップリンク・サブフレームとの間のタイミング対応関係を使用することによって決定されてよく、すなわち、フィードバック情報を受信するために使用されるアップリンク・サブフレームは、事前構成されたアップリンク−ダウンリンク・サブフレーム構成に従って決定されてよい。例えば、フィードバック情報を受信するためのアップリンク・サブフレームは、表２に従って決定されてよい。
【０１５４】
アップリンク・サブフレームと関連付けられた第１のダウンリンク・サブフレームのセットの関連説明に関しては、実施形態１を参照されたい。詳細は本明細書で再び説明されない。
【０１５５】
具体的には、アクセス・ネットワーク・デバイスによって、第１のサブセット及び第２のサブセットを決定する手法に関しては、実施形態１における、ＵＥによって、第１のサブセット及び第２のサブセットを決定する手法を参照されたい。詳細は本明細書で再び説明されない。
【０１５６】
Ｓ６０３：アクセス・ネットワーク・デバイスは、フィードバック情報を受信するために使用されるチャネル・リソースを決定する。チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ここで、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１は、すべて正の整数である。
【０１５７】
具体的には、コードブック・サイズｐであるチャネル・フォーマット及びコードブック・サイズｑであるチャネル・フォーマットの関連説明、並びに、フィードバック情報の、及び第１／第２のサブセットに対応するコードブック・サイズの関連説明に関して、実施形態１を参照されたい。詳細は本明細書で再び説明されない。
【０１５８】
具体的には、第１のアップリンク・チャネル・リソースは、ｎ個のリソース・エレメントを含んでよく、第２のアップリンク・チャネル・リソースは、ｍ個のリソース・エレメントを含んでよく、ここで、ｍ≧ｎであり、ｍ及びｎの両方は正の整数である。このようにして、コードブック・サイズｐであるチャネル・フォーマットは、ｎ個のリソース・エレメントを有するチャネル・フォーマットとして考えられてよく、コードブック・サイズｑであるチャネル・フォーマットは、ｍ個のリソース・エレメントを有するチャネル・フォーマットとして考えられてよい。関連した詳細な説明に関して、実施形態１を参照されたい。詳細は本明細書で再び説明されない。
【０１５９】
Ｓ６０４：ｒ個のＣＳＩを受信することが、アップリンク・サブフレーム内でアクセス・ネットワーク・デバイスに対して構成され、かつ、フィードバック情報のコードブック・サイズが、第１のサブセットに対応し、かつ、アクセス・ネットワーク・デバイスによって決定されたチャネル・リソースが、第２のアップリンク・チャネル・リソースである場合、アクセス・ネットワーク・デバイスは、フィードバック情報、及びｒ個のＣＳＩのうちのｔ個のＣＳＩを、第２のアップリンク・チャネル・リソースで受信し、ここで、ｒ≧２であり、２≦ｔ≦ｒであり、ｐ１、ｒ、及びｔは、すべて正の整数である。
【０１６０】
具体的には、ｒ個のＣＳＩを送信することが、アップリンク・サブフレーム内でＵＥに対して構成され、かつ、フィードバック情報のコードブック・サイズが、第１のサブセットに対応し、かつ、ＵＥによって決定されたチャネル・リソースが、第２のアップリンク・チャネル・リソースであるとき、アクセス・ネットワーク・デバイスは、フィードバック情報の、及び第１のサブセットに対応するコードブック・サイズに従って、フィードバック情報だけを第２のアップリンク・チャネル・リソースで受信する必要がある。したがって、フィードバック情報の、及び第１のサブセットに対応するコードブック・サイズが、第１のアップリンク・チャネルのコードブック・サイズより大きくないこと、並びに、第１のアップリンク・チャネルのコードブック・サイズが、第２のアップリンク・チャネルのコードブック・サイズより小さいことを考慮すると、第２のアップリンク・チャネル・リソースで搬送されることができるフィードバック情報の最大ビット量は制約されず、アクセス・ネットワーク・デバイスは、フィードバック情報を、第２のアップリンク・チャネル・リソースで受信できるだけでなく、ｒ個のＣＳＩのうちのｔ個のＣＳＩを、第２のアップリンク・チャネル・リソースで受信することもでき、ここで、ｒ≧２であり、２≦ｔ≦ｒである。すなわち、アクセス・ネットワーク・デバイスは、フィードバック情報、及びｒ個のＣＳＩのうちのｔ個のＣＳＩを、第２のアップリンク・チャネル・リソースで受信して、ここで、ｒ≧２であり、２≦ｔ≦ｒであり、複数個のＣＳＩが一斉に伝送されるようにする。
【０１６１】
例えば、第２のアップリンク・チャネルのコードブック・サイズが４０ビットであり、フィードバック情報のコードブック・サイズが２０ビットであり、２０ビットのフィードバック情報に加えて、ＣＳＩは、第２のアップリンク・チャネルでさらに搬送されてよいことが仮定される。ｒ＝２であり、それぞれのＣＳＩが１０ビットを有すると仮定すると、アクセス・ネットワーク・デバイスは、ｒ個のＣＳＩのすべてを受信してよい。すなわち、ＵＥは、フィードバック情報、及びｒ個のＣＳＩのうちのｔ個のＣＳＩを、第２のアップリンク・チャネル・リソースで送信し、ここでｒ＝ｔ＝２である。
【０１６２】
もっとも、アクセス・ネットワーク・デバイスは、ｒ個のＣＳＩのうちのいくつかだけを受信してよく、すなわち、ｒ＞ｔである。例えば、ｒ＝３個のＣＳＩが、アップリンク・サブフレーム内で構成されるが、このケースでは、フィードバック情報に加えて、ｔ＝２個のＣＳＩだけが、コードブック・サイズｑであるチャネル・フォーマット内でさらに搬送されることができる場合、アクセス・ネットワーク・デバイスは、ｒ個のＣＳＩのうちのｔ個のＣＳＩを受信してよい。
【０１６３】
ｒ個のＣＳＩを受信することが、アップリンク・サブフレーム内で、アクセス・ネットワーク・デバイスに対して構成されることに関して、１個のＣＳＩを受信することは、ＣＳＩの１つのタイプを１つのキャリア上で受信すること、例えば、ＣＱＩをキャリア１上で受信すること、又はＲＩをキャリア２上で受信すること、又はサブ帯域のＣＱＩをキャリア３上で受信すること、又はＰＭＩをキャリア４上で受信することを意味してよいことに留意されたい。これは本発明の本実施形態において具体的に限定されない。
【０１６４】
さらに、図７に示されるように、ステップＳ６０３の後、本発明の本実施形態において提供されたＣＳＩの伝送方法は、以下のステップをさらに含んでよい。
【０１６５】
Ｓ６０５：ｒ個のＣＳＩを受信することが、アップリンク・サブフレーム内でアクセス・ネットワーク・デバイスに対して構成され、かつ、フィードバック情報のコードブック・サイズが、第１のサブセットに対応し、かつ、アクセス・ネットワーク・デバイスによって決定されたチャネル・リソースが、第１のアップリンク・チャネル・リソースである場合、アクセス・ネットワーク・デバイスは、フィードバック情報、及びｒ個のＣＳＩのうちのｓ個のＣＳＩを、第１のアップリンク・チャネル・リソースで受信し、ここで、０≦ｓ≦ｒであり、ｓは正の整数である。
【０１６６】
具体的には、ｒ個のＣＳＩを受信することが、アップリンク・サブフレーム内でアクセス・ネットワーク・デバイスに対して構成され、かつ、フィードバック情報のコードブック・サイズが、第１のサブセットに対応し、かつ、アクセス・ネットワーク・デバイスによって決定されたチャネル・リソースが、第１のアップリンク・チャネル・リソースであるとき、アクセス・ネットワーク・デバイスは、フィードバック情報の、及び第１のサブセットに対応するコードブック・サイズに従って、フィードバック情報を第１のアップリンク・チャネル・リソースで受信する。したがって、フィードバック情報の、及び第１のサブセットに対応するコードブック・サイズが、第１のアップリンク・チャネルのコードブック・サイズより大きくないことを考慮して、第１のアップリンク・チャネル・リソースで搬送されることができるフィードバック情報の最大ビット量は制約され、アクセス・ネットワーク・デバイスは、１個又は複数個のＣＳＩを、第１のアップリンク・チャネル・リソースで受信してよく、又は、１個のＣＳＩでさえ、第１のアップリンク・チャネル・リソースで受信できない。すなわち、アクセス・ネットワーク・デバイスは、フィードバック情報を、第１のアップリンク・チャネル・リソースで受信してよく、ｒ個のＣＳＩのうちのｓ個のＣＳＩを、第１のアップリンク・チャネル・リソースでさらに受信してよく、ここで、０≦ｓ≦ｒであり、ｓは正の整数である。
【０１６７】
例えば、第１のアップリンク・チャネルのコードブック・サイズが２０ビットであり、フィードバック情報のコードブック・サイズが２０ビットであると仮定すると、２０ビットのフィードバック情報が第１のアップリンク・チャネルで搬送された後、ＣＳＩは、第１のアップリンク・チャネルで搬送されることができない。第１のアップリンク・チャネルのコードブック・サイズが２０ビットであり、フィードバック情報のコードブック・サイズが１０ビットであることが仮定される場合、１０ビットのフィードバック情報が第１のアップリンク・チャネルで搬送された後、ＣＳＩは、第１のアップリンク・チャネルでさらに搬送されることができる。ｒ＝２であり、それぞれのＣＳＩが１０ビットを有すると仮定すると、アクセス・ネットワーク・デバイスは、フィードバック情報、及びｒ個のＣＳＩのうちのｔ個のＣＳＩを、第１のアップリンク・チャネル・リソースで受信してよく、ここで、ｔ＝１である。
【０１６８】
上述のように、アクセス・ネットワーク・デバイスは、ｒ個のＣＳＩのうちのいくつかだけをＵＥから受信してよく、又は、ｒ個のＣＳＩのすべてをＵＥから受信してよい。これは本発明の本実施形態において具体的に限定されない。
【０１６９】
さらに、図８に示されるように、ステップＳ６０３の後、本発明の本実施形態において提供されたＣＳＩの伝送方法は、以下のステップをさらに含んでよい。
【０１７０】
Ｓ６０６：ｒ個のＣＳＩを受信することが、アップリンク・サブフレーム内でアクセス・ネットワーク・デバイスに対して構成され、かつ、フィードバック情報のコードブック・サイズが、第２のサブセットに対応し、かつ、アクセス・ネットワーク・デバイスによって決定されたチャネル・リソースが、第２のアップリンク・チャネル・リソースである場合、アクセス・ネットワーク・デバイスは、フィードバック情報、及びｒ個のＣＳＩのうちのｓ個のＣＳＩを、第２のアップリンク・チャネル・リソースで受信し、ここで、０≦ｓ≦ｒであり、ｑ１及びｓは正の整数である。
【０１７１】
具体的には、ｒ個のＣＳＩを受信することが、アップリンク・サブフレーム内でアクセス・ネットワーク・デバイスに対して構成され、かつ、フィードバック情報のコードブック・サイズが、第２のサブセットに対応し、かつ、アクセス・ネットワーク・デバイスによって決定されたチャネル・リソースが、第２のアップリンク・チャネル・リソースであるとき、アクセス・ネットワーク・デバイスは、フィードバック情報の、及び第２のサブセットに対応するコードブック・サイズに従って、フィードバック情報を第２のアップリンク・チャネル・リソースで受信する。したがって、フィードバック情報の、及び第２のサブセットに対応するコードブック・サイズが、第２のアップリンク・チャネルのコードブック・サイズより大きくないことを考慮して、第２のアップリンク・チャネル・リソースで搬送されることができるフィードバック情報の最大ビット量は制約され、アクセス・ネットワーク・デバイスは、１個又は複数個のＣＳＩを、第２のアップリンク・チャネル・リソースで受信してよく、又は、１個のＣＳＩでさえ、第２のアップリンク・チャネル・リソースで受信できない。すなわち、アクセス・ネットワーク・デバイスは、フィードバック情報を、第２のアップリンク・チャネル・リソースで受信してよく、ｒ個のＣＳＩのうちのｓ個のＣＳＩを、第２のアップリンク・チャネル・リソースでさらに受信してよく、ここで、０≦ｓ≦ｒであり、ｓは正の整数である。
【０１７２】
例えば、第２のアップリンク・チャネルのコードブック・サイズが４０ビットであり、フィードバック情報のコードブック・サイズが４０ビットであると仮定すると、４０ビットのフィードバック情報が第２のアップリンク・チャネルで搬送された後、ＣＳＩは、第２のアップリンク・チャネルで搬送されることができない。第２のアップリンク・チャネルのコードブック・サイズが４０ビットであり、フィードバック情報のコードブック・サイズが２０ビットであることが仮定される場合、２０ビットのフィードバック情報が第２のアップリンク・チャネルで搬送された後、ＣＳＩは、第２のアップリンク・チャネルでさらに搬送されることができる。ｒ＝２であり、それぞれのＣＳＩが１０ビットを有すると仮定すると、アクセス・ネットワーク・デバイスは、ｒ個のＣＳＩのすべてをＵＥから受信してよい。すなわち、アクセス・ネットワーク・デバイスは、フィードバック情報、及びｒ個のＣＳＩのうちのｓ個のＣＳＩを、第２のアップリンク・チャネル・リソースで受信し、ここで、ｒ＝ｓ＝２である。
【０１７３】
もっとも、上述のように、アクセス・ネットワーク・デバイスは、ｒ個のＣＳＩのうちのいくつかだけをＵＥから受信してよく、すなわち、ｒ＞ｓである。例えば、ｒ＝３個のＣＳＩがアップリンク・サブフレーム内で構成されるが、このケースでは、フィードバック情報に加えて、ｓ＝２個のＣＳＩだけが、コードブック・サイズｑであるチャネル・フォーマット内でさらに搬送されることができる場合、アクセス・ネットワーク・デバイスは、ｒ個のＣＳＩのうちのｓ個のＣＳＩを受信してよい。
【０１７４】
本発明の本実施形態において、より多くのキャリアのＣＡをサポートするために、方法は、現行のＰＵＣＣＨフォーマット３の容量を拡張すること、例えば、現行のＰＵＣＣＨフォーマット３の容量を、１つのＲＢから複数ＲＢに拡張することであることに留意されたい。関連した詳細な説明及び技術的な効果に関しては、実施形態１を参照されたい。詳細は本明細書で再び説明されない。
【０１７５】
さらに、本発明の本実施形態において提供されたＣＳＩの伝送方法において、アクセス・ネットワーク・デバイスによって、ダウンリンク・データをＵＥに送信すること（ステップＳ６０１）は、
アクセス・ネットワーク・デバイスによって、ダウンリンク・データをＵＥに、第２のダウンリンク・サブフレームのセットに含まれるダウンリンク・サブフレーム内で送信すること
を具体的に含んでよく、
第２のダウンリンク・サブフレームのセットは、第１のダウンリンク・サブフレームのセット内のすべてのスケジューリングされたダウンリンク・サブフレームを含み、又は、
第２のダウンリンク・サブフレームのセットは、ＵＥによって活性化されたすべてのキャリア上にある第１のダウンリンク・サブフレームのセット内のダウンリンク・サブフレームを含む。
【０１７６】
具体的には、第２のダウンリンク・サブフレームのセットは、スケジューリング・セット又はアクティブ・セットであってよい。関連説明に関しては、実施形態１を参照されたい。詳細は本明細書で再び説明されない。
【０１７７】
本発明の本実施形態は、第２のダウンリンク・サブフレームのセットが、実際にスケジューリングされたダウンリンク・サブフレームのセットであるという仮定で説明されるが、本発明の本実施形態は、第２のダウンリンク・サブフレームのセットが、アクティブなダウンリンク・サブフレームのセットであるケースに対しても適用可能であることに留意されたい。これは本発明の本実施形態において具体的に限定されない。
【０１７８】
さらに、ｒ個のＣＳＩを受信することが、アップリンク・サブフレーム内で、アクセス・ネットワーク・デバイスに対して構成され、かつ、第２のダウンリンク・サブフレームのセットが、第１のサブセットのサブセットである場合、アクセス・ネットワーク・デバイスによって決定されたチャネル・リソースは、第１のアップリンク・チャネル・リソース若しくは第２のアップリンク・チャネル・リソースであり、又は、
ｒ個のＣＳＩを受信することが、アップリンク・サブフレーム内で、アクセス・ネットワーク・デバイスに対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、アクセス・ネットワーク・デバイスによって決定されたチャネル・リソースは、第２のアップリンク・チャネル・リソースである。
【０１７９】
例えば、第１のサブセットは、ダウンリンク・サブフレーム４、５、６、及び８を、キャリア１から５上に含むこと、並びに、第２のダウンリンク・サブフレームのセットは、サブフレーム４、５、６、及び８を、キャリア１上に含むことと、サブフレーム４、５、及び６を、キャリア２上に含むことと、サブフレーム４及び５を、キャリア３上に含むこととが仮定され、ここで、キャリア１は１次キャリアである。したがって、第２のダウンリンク・サブフレームのセットは、第１のサブセットのサブセットである。このケースでは、アクセス・ネットワーク・デバイスによって決定されたチャネル・リソースは、第１のアップリンク・チャネル・リソースであってよく、又は、第２のアップリンク・チャネル・リソースであってよい。
【０１８０】
例えば、第１のサブセットは、ダウンリンク・サブフレーム４、５、６、及び８を、キャリア１から５上に含むこと、並びに、第２のサブセットは、ダウンリンク・サブフレーム４、５、６、及び８を、キャリア１から１０上に含むことが仮定される。第２のダウンリンク・サブフレームのセットは、サブフレーム４、５、６、及び８を、キャリア１上に、サブフレーム４、５、及び６を、キャリア３上に、並びに、サブフレーム４及び５を、キャリア６上に含む。すなわち、第２のダウンリンク・サブフレームのセットは、第１のサブセット内のダウンリンク・サブフレーム、及び第２のサブセットに属するが第１のサブセットに属さないダウンリンク・サブフレームを含み、第２のダウンリンク・サブフレームのセットは、第２のサブセットのサブセットである。このケースでは、アクセス・ネットワーク・デバイスによって決定されたチャネル・リソースは、第２のアップリンク・チャネル・リソースである。
【０１８１】
さらに、アクセス・ネットワーク・デバイスによって、フィードバック情報を受信するために使用されるチャネル・リソースを決定すること（ステップＳ６０３）の後、方法は、
アクセス・ネットワーク・デバイスによって、リソース指示情報をＵＥに送信することであって、リソース指示情報は、フィードバック情報を伝送するためのチャネル・リソースを指示するために使用される、送信すること
をさらに含んでよい。
【０１８２】
さらに、リソース指示情報は、フィードバック情報のコードブック・サイズを指示するためにさらに使用され、又は、リソース指示情報は、フィードバック情報のコードブック・サイズに対応するサブセットを指示するためにさらに使用される。
【０１８３】
具体的には、リソース指示情報の関連説明に関しては、実施形態１を参照されたい。詳細は本明細書で再び説明されない。
【０１８４】
さらに、アクセス・ネットワーク・デバイスによって、フィードバック情報を受信するために使用されるチャネル・リソースを決定することの後、方法は、
ＣＳＩ受信が、アップリンク・サブフレーム内でアクセス・ネットワーク・デバイスに対して構成されず、かつ、フィードバック情報のコードブック・サイズが、第１のサブセットに対応し、かつ、アクセス・ネットワーク・デバイスによって決定されたチャネル・リソースが、第１のアップリンク・チャネル・リソースである場合、アクセス・ネットワーク・デバイスによって、フィードバック情報を、第１のアップリンク・チャネル・リソースで受信すること、又は、
ＣＳＩ受信が、アップリンク・サブフレーム内でアクセス・ネットワーク・デバイスに対して構成されず、かつ、フィードバック情報のコードブック・サイズが、第２のサブセットに対応し、かつ、アクセス・ネットワーク・デバイスによって決定されたチャネル・リソースが、第２のアップリンク・チャネル・リソースである場合、アクセス・ネットワーク・デバイスによって、フィードバック情報を、第２のアップリンク・チャネル・リソースで受信すること
をさらに含む。
【０１８５】
さらに、ＣＳＩ受信が、アップリンク・サブフレーム内でアクセス・ネットワーク・デバイスに対して構成されず、かつ、第２のダウンリンク・サブフレームのセットが、第１のサブセットのサブセットである場合、アクセス・ネットワーク・デバイスによって決定されたチャネル・リソースは、第１のアップリンク・チャネル・リソースであり、又は、
ＣＳＩ送信が、アップリンク・サブフレーム内でアクセス・ネットワーク・デバイスに対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、アクセス・ネットワーク・デバイスによって決定されたチャネル・リソースは、第２のアップリンク・チャネル・リソースである。
【０１８６】
例えば、第１のサブセットは、ダウンリンク・サブフレーム４、５、６、及び８を、キャリア１から５上に含むこと、並びに、第２のダウンリンク・サブフレームのセットは、サブフレーム４、５、６、及び８を、キャリア１上に含むことと、サブフレーム４、５、及び６を、キャリア２上に含むことと、サブフレーム４及び５を、キャリア３上に含むこととが仮定され、ここで、キャリア１は１次キャリアである。したがって、第２のダウンリンク・サブフレームのセットは、第１のサブセットのサブセットである。このケースでは、ＣＳＩ受信が、アップリンク・サブフレーム内でアクセス・ネットワーク・デバイスに対して構成されない、すなわち、アクセス・ネットワーク・デバイスは、フィードバック情報だけを受信する必要があるので、アクセス・ネットワーク・デバイスによって決定されたチャネル・リソースは、第１のアップリンク・チャネル・リソースである。
【０１８７】
例えば、第１のサブセットは、ダウンリンク・サブフレーム４、５、６、及び８を、キャリア１から５上に含むこと、並びに、第２のサブセットは、ダウンリンク・サブフレーム４、５、６、及び８を、キャリア１から１０上に含むことが仮定される。第２のダウンリンク・サブフレームのセットは、サブフレーム４、５、６、及び８を、キャリア１上に、サブフレーム４、５、及び６を、キャリア３上に、並びに、サブフレーム４及び５を、キャリア６上に含む。すなわち、第２のダウンリンク・サブフレームのセットは、第１のサブセット内のダウンリンク・サブフレーム、及び第２のサブセットに属するが第１のサブセットに属さないダウンリンク・サブフレームを含み、第２のダウンリンク・サブフレームのセットは、第２のサブセットのサブセットである。このケースでは、アクセス・ネットワーク・デバイスによって決定されたチャネル・リソースは、第２のアップリンク・チャネル・リソースである。
【０１８８】
具体的には、本発明の本実施形態において、ＣＳＩ受信が、アップリンク・サブフレーム内でアクセス・ネットワーク・デバイスに対して構成されないので、アクセス・ネットワーク・デバイスは、フィードバック情報を、第１のアップリンク・チャネル・リソースで、第１のサブセットに対応するコードブック・サイズに従って受信し、又は、アクセス・ネットワーク・デバイスは、第２のアップリンク・チャネル・リソースで、第２のサブセットに対応するコードブック・サイズに従って、フィードバック情報を受信する。動的なＰＵＣＣＨフォーマットのフォールバックの手法を導入することによって、ＰＵＣＣＨフォーマット３のオーバヘッドは低減される。
【０１８９】
実施形態３
本発明の本実施形態は、ＵＥ９００を提供する。図９に示されるように、ＵＥ９００は、受信モジュール９０１、処理モジュール９０２、及び送信モジュール９０３を含む。
【０１９０】
受信モジュール９０１は、ダウンリンク・データをアクセス・ネットワーク・デバイスから受信するように構成される。
【０１９１】
処理モジュール９０２は、ダウンリンク・データのフィードバック情報を送信するために使用されるアップリンク・サブフレームを決定するように構成され、ここで、アップリンク・サブフレームと関連付けられた第１のダウンリンク・サブフレームのセットは、第１のサブセット及び第２のサブセットを含み、第１のサブセットは、第２のサブセットの真のサブセットである。
【０１９２】
処理モジュール９０２は、フィードバック情報を送信するために使用されるチャネル・リソースを決定するようにさらに構成される。チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ここで、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１は、すべて正の整数である。
【０１９３】
送信モジュール９０３は、ｒ個のＣＳＩを送信することが、アップリンク・サブフレーム内でＵＥ９００に対して構成され、かつ、フィードバック情報のコードブック・サイズが、第１のサブセットに対応し、かつ、処理モジュール９０２によって決定されたチャネル・リソースが、第２のアップリンク・チャネル・リソースである場合、フィードバック情報、及びｒ個のＣＳＩのうちのｔ個のＣＳＩを、第２のアップリンク・チャネル・リソースで送信することを行うように構成され、ここで、ｒ≧２であり、２≦ｔ≦ｒであり、ｒ及びｔは、両方、正の整数である。
【０１９４】
さらに、送信モジュール９０３は、処理モジュール９０２が、フィードバック情報を送信するために使用されるチャネル・リソースを決定した後、ｒ個のＣＳＩを送信することが、アップリンク・サブフレーム内でＵＥ９００に対して構成され、かつ、フィードバック情報のコードブック・サイズが、第１のサブセットに対応し、かつ、処理モジュール９０２によって決定されたチャネル・リソースが、第１のアップリンク・チャネル・リソースである場合、フィードバック情報、及びｒ個のＣＳＩのうちのｓ個のＣＳＩを、第１のアップリンク・チャネル・リソースで送信することを行うようにさらに構成され、ここで、０≦ｓ≦ｒであり、ｓは正の整数である。
【０１９５】
さらに、送信モジュール９０３は、処理モジュール９０２が、フィードバック情報を送信するために使用されるチャネル・リソースを決定した後、ｒ個のＣＳＩを送信することが、アップリンク・サブフレーム内でＵＥ９００に対して構成され、かつ、フィードバック情報のコードブック・サイズが、第２のサブセットに対応し、かつ、処理モジュール９０２によって決定されたチャネル・リソースが、第２のアップリンク・チャネル・リソースである場合、フィードバック情報、及びｒ個のＣＳＩのうちのｓ個のＣＳＩを、第２のアップリンク・チャネル・リソースで送信することを行うようにさらに構成され、ここで、０≦ｓ≦ｒであり、ｓは正の整数である。
【０１９６】
好ましくは、受信モジュール９０１は、
ダウンリンク・データを、第２のダウンリンク・サブフレームのセットに含まれるダウンリンク・サブフレーム内で受信すること
を行うように具体的に構成され、
第２のダウンリンク・サブフレームのセットは、第１のダウンリンク・サブフレームのセット内のすべてのスケジューリングされたダウンリンク・サブフレームを含み、又は、
第２のダウンリンク・サブフレームのセットは、ＵＥ９００によって活性化された全キャリア上にある第１のダウンリンク・サブフレームのセット内のダウンリンク・サブフレームを含む。
【０１９７】
さらに、ｒ個のＣＳＩを送信することが、アップリンク・サブフレーム内でＵＥ９００に対して構成され、かつ、第２のダウンリンク・サブフレームのセットが、第１のサブセットのサブセットである場合、処理モジュール９０２によって決定されたチャネル・リソースは、第１のアップリンク・チャネル・リソース又は第２のアップリンク・チャネル・リソースである。
【０１９８】
代替的には、ｒ個のＣＳＩを送信することが、アップリンク・サブフレーム内でＵＥ９００に対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュール９０２によって決定されたチャネル・リソースは、第２のアップリンク・チャネル・リソースである。
【０１９９】
さらに、受信モジュール９０１は、処理モジュール９０２が、フィードバック情報を送信するために使用されるチャネル・リソースを決定する前に、リソース指示情報をアクセス・ネットワーク・デバイスから受信することを行うようにさらに構成され、ここで、リソース指示情報は、フィードバック情報を送信するためのチャネル・リソースを指示するために使用される。
【０２００】
決定モジュールは、
リソース指示情報、並びにリソース指示情報内の状態セットにおける異なる状態と、チャネル・リソース・セット内の異なるチャネル・リソースとの間の、及びアクセス・ネットワーク・デバイスによってＵＥ９００に対して事前構成されたマッピング関係に従って、フィードバック情報を送信するために使用されるチャネル・リソースを決定することであって、チャネル・リソース・セットは、第１のアップリンク・チャネル・リソース及び第２のアップリンク・チャネル・リソースを含む、決定すること
を行うように具体的に構成される。
【０２０１】
さらに、リソース指示情報は、フィードバック情報のコードブック・サイズを指示するためにさらに使用される。
【０２０２】
処理モジュール９０２は、フィードバック情報のコードブック・サイズを、リソース指示情報、並びにリソース指示情報内の状態セットにおける異なる状態と、コードブック・サイズのセット内の異なるコードブック・サイズとの間の、及びアクセス・ネットワーク・デバイスによってＵＥ９００に対して事前構成されたマッピング関係に従って決定するようにさらに構成され、ここで、コードブック・サイズのセットは、第１のサブセットに対応するコードブック・サイズ、及び第２のサブセットに対応するコードブック・サイズを含む。
【０２０３】
任意選択で、リソース指示情報は、フィードバック情報のコードブック・サイズに対応するサブセットを指示するためにさらに使用される。
【０２０４】
処理モジュール９０２は、リソース指示情報、並びにリソース指示情報内の状態セットにおける異なる状態と、コードブック・サイズに対応するサブセットのセット内の異なるコードブック・サイズに対応するサブセットとの間の、及びアクセス・ネットワーク・デバイスによってＵＥ９００に対して事前構成されたマッピング関係に従って、フィードバック情報のコードブック・サイズに対応するサブセットを決定するようにさらに構成され、ここで、コードブック・サイズに対応するサブセットのセットは、第１のサブセット及び第２のサブセットを含む。
【０２０５】
さらに、送信モジュール９０３は、処理モジュール９０２が、フィードバック情報を送信するために使用されるチャネル・リソースを決定した後、ＣＳＩ送信が、アップリンク・サブフレーム内でＵＥ９００に対して構成されず、かつ、フィードバック情報のコードブック・サイズが、第１のサブセットに対応し、かつ、処理モジュール９０２によって決定されたチャネル・リソースが、第１のアップリンク・チャネル・リソースである場合、フィードバック情報を、第１のアップリンク・チャネル・リソースで送信することを行うようにさらに構成される。
【０２０６】
代替的には、送信モジュール９０３は、処理モジュール９０２が、フィードバック情報を送信するために使用されるチャネル・リソースを決定した後、ＣＳＩ送信が、アップリンク・サブフレーム内でＵＥ９００に対して構成されず、かつ、フィードバック情報のコードブック・サイズが、第２のサブセットに対応し、かつ、処理モジュール９０２によって決定されたチャネル・リソースが、第２のアップリンク・チャネル・リソースである場合、フィードバック情報を、第２のアップリンク・チャネル・リソースで送信することを行うようにさらに構成される。
【０２０７】
さらに、ＣＳＩ送信が、アップリンク・サブフレーム内でＵＥ９００に対して構成されず、かつ、第２のダウンリンク・サブフレームのセットが、第１のサブセットのサブセットである場合、処理モジュール９０２によって決定されたチャネル・リソースは、第１のアップリンク・チャネル・リソースである。
【０２０８】
代替的には、ＣＳＩ送信が、アップリンク・サブフレーム内でＵＥ９００に対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュール９０２によって決定されたチャネル・リソースは、第２のアップリンク・チャネル・リソースである。
【０２０９】
本発明の本実施形態において提供されたＵＥ９００のユニット及びモジュールに関して、受信モジュール９０１は、受信機を使用することによって具体的に実装されてよく、送信モジュール９０３は、送信機を使用することによって具体的に実装されてよく、処理モジュール９０２は、プロセッサを使用することによって具体的に実装されてよいことに留意されたい。プロセッサ、受信機、及び送信機は、互いに通信してよい。これは本発明の本実施形態において具体的に限定されない。
【０２１０】
具体的には、本発明の本実施形態において提供されたＵＥ９００によって実施されるＣＳＩの伝送方法に関しては、実施形態１の説明を参照されたい。詳細は本発明の本実施形態において本明細書で再び説明されない。
【０２１１】
本実施形態におけるＵＥ９００は、前述の方法を実施するように構成されることができるので、ＵＥ９００によって達成されることができる技術的な効果に関しては、前述の方法の実施形態の説明を参照されたい。詳細は本明細書で再び説明されない。
【０２１２】
実施形態４
本発明の本実施形態は、アクセス・ネットワーク・デバイス１０００を提供する。図１０に示されるように、アクセス・ネットワーク・デバイス１０００は、送信モジュール１００１、処理モジュール１００２、及び受信モジュール１００３を含む。
【０２１３】
送信モジュール１００１は、ダウンリンク・データをユーザ機器ＵＥに送信するように構成される。
【０２１４】
処理モジュール１００２は、ダウンリンク・データのフィードバック情報を受信するために使用されるアップリンク・サブフレームを決定するように構成され、ここで、アップリンク・サブフレームと関連付けられた第１のダウンリンク・サブフレームのセットは、第１のサブセット及び第２のサブセットを含み、第１のサブセットは、第２のサブセットの真のサブセットである。
【０２１５】
処理モジュール１００２は、フィードバック情報を受信するために使用されるチャネル・リソースを決定するようにさらに構成され、ここで、チャネル・リソースは、第１のアップリンク・チャネル・リソース又は第２のアップリンク・チャネル・リソースを含み、第１のアップリンク・チャネル・リソースは、コードブック・サイズｐであるチャネル・フォーマット内のリソースであり、第２のアップリンク・チャネル・リソースは、コードブック・サイズｑであるチャネル・フォーマット内のリソースであり、ｑ＞ｐであり、ｑ≧ｑ１であり、ｐ≧ｐ１であり、ｐ１は、フィードバック情報の、及び第１のサブセットに対応するコードブック・サイズであり、ｑ１は、フィードバック情報の、及び第２のサブセットに対応するコードブック・サイズであり、ｐ、ｑ、ｐ１、及びｑ１は、すべて正の整数である。
【０２１６】
受信モジュール１００３は、ｒ個のＣＳＩを受信することが、アップリンク・サブフレーム内でアクセス・ネットワーク・デバイス１０００に対して構成され、かつ、フィードバック情報のコードブック・サイズが、第１のサブセットに対応し、かつ、処理モジュール１００２によって決定されたチャネル・リソースが、第２のアップリンク・チャネル・リソースである場合、フィードバック情報、及びｒ個のＣＳＩのうちのｔ個のＣＳＩを、第２のアップリンク・チャネル・リソースで受信することを行うように構成され、ここで、ｒ≧２であり、２≦ｔ≦ｒであり、ｐ１、ｒ、及びｔは、すべて正の整数である。
【０２１７】
さらに、受信モジュール１００３は、処理モジュール１００２が、フィードバック情報を受信するために使用されるチャネル・リソースを決定した後、ｒ個のＣＳＩを受信することが、アップリンク・サブフレーム内でアクセス・ネットワーク・デバイス１０００に対して構成され、かつ、フィードバック情報のコードブック・サイズが、第１のサブセットに対応し、かつ、処理モジュール１００２によって決定されたチャネル・リソースが、第１のアップリンク・チャネル・リソースである場合、フィードバック情報、及びｒ個のＣＳＩのうちのｓ個のＣＳＩを、第１のアップリンク・チャネル・リソースで受信することを行うようにさらに構成され、０≦ｓ≦ｒであり、ｓは正の整数である。
【０２１８】
さらに、受信モジュール１００３は、処理モジュール１００２が、フィードバック情報を受信するために使用されるチャネル・リソースを決定した後、ｒ個のＣＳＩを受信することが、アップリンク・サブフレーム内でアクセス・ネットワーク・デバイス１０００に対して構成され、かつ、フィードバック情報のコードブック・サイズが、第２のサブセットに対応し、かつ、処理モジュール１００２によって決定されたチャネル・リソースが、第２のアップリンク・チャネル・リソースである場合、フィードバック情報、及びｒ個のＣＳＩのうちのｓ個のＣＳＩを、第２のアップリンク・チャネル・リソースで受信することを行うようにさらに構成され、０≦ｓ≦ｒであり、ｑ１及びｓは正の整数である。
【０２１９】
好ましくは、送信モジュール１００１は、
ダウンリンク・データをＵＥに、第２のダウンリンク・サブフレームのセットに含まれるダウンリンク・サブフレーム内で送信すること
を行うように具体的に構成され、
第２のダウンリンク・サブフレームのセットは、第１のダウンリンク・サブフレームのセット内のすべてのスケジューリングされたダウンリンク・サブフレームを含み、又は、
第２のダウンリンク・サブフレームのセットは、ＵＥによって活性化された全キャリア上にある第１のダウンリンク・サブフレームのセット内のダウンリンク・サブフレームを含む。
【０２２０】
さらに、ｒ個のＣＳＩを受信することが、アップリンク・サブフレーム内で、アクセス・ネットワーク・デバイス１０００に対して構成され、かつ、第２のダウンリンク・サブフレームのセットが、第１のサブセットのサブセットである場合、処理モジュール１００２によって決定されたチャネル・リソースは、第１のアップリンク・チャネル・リソース又は第２のアップリンク・チャネル・リソースである。
【０２２１】
代替的には、ｒ個のＣＳＩを受信することが、アップリンク・サブフレーム内で、アクセス・ネットワーク・デバイス１０００に対して構成され、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュール１００２によって決定されたチャネル・リソースは、第２のアップリンク・チャネル・リソースである。
【０２２２】
さらに、送信モジュール１００１は、処理モジュール１００２が、フィードバック情報を受信するために使用されるチャネル・リソースを決定した後、リソース指示情報をＵＥに送信することを行うようにさらに構成され、ここで、リソース指示情報は、フィードバック情報を伝送するためのチャネル・リソースに指示するために使用される。
【０２２３】
さらに、リソース指示情報は、フィードバック情報のコードブック・サイズを指示するためにさらに使用される。
【０２２４】
任意選択で、リソース指示情報は、フィードバック情報のコードブック・サイズに対応するサブセットを指示するためにさらに使用される。
【０２２５】
さらに、受信モジュール１００３は、処理モジュール１００２が、フィードバック情報を受信するために使用されるチャネル・リソースを決定した後、ＣＳＩ受信が、アップリンク・サブフレーム内でアクセス・ネットワーク・デバイス１０００に対して構成されず、かつ、フィードバック情報のコードブック・サイズが、第１のサブセットに対応し、かつ、処理モジュール１００２によって決定されたチャネル・リソースが、第１のアップリンク・チャネル・リソースである場合、フィードバック情報を、第１のアップリンク・チャネル・リソースで受信することを行うようにさらに構成される。
【０２２６】
代替的には、受信モジュール１００３は、処理モジュール１００２が、フィードバック情報を受信するために使用されるチャネル・リソースを決定した後、ＣＳＩ受信が、アップリンク・サブフレーム内でアクセス・ネットワーク・デバイス１０００に対して構成されず、かつ、フィードバック情報のコードブック・サイズが、第２のサブセットに対応し、かつ、処理モジュール１００２によって決定されたチャネル・リソースが、第２のアップリンク・チャネル・リソースである場合、フィードバック情報を、第２のアップリンク・チャネル・リソースで受信することを行うようにさらに構成される。
【０２２７】
さらに、ＣＳＩ受信が、アップリンク・サブフレーム内でアクセス・ネットワーク・デバイス１０００に対して構成されず、かつ、第２のダウンリンク・サブフレームのセットが、第１のサブセットのサブセットである場合、処理モジュール１００２によって決定されたチャネル・リソースは、第１のアップリンク・チャネル・リソースである。
【０２２８】
代替的には、ＣＳＩ送信が、アップリンク・サブフレーム内でアクセス・ネットワーク・デバイス１０００に対して構成されず、かつ、第２のダウンリンク・サブフレームのセットが、第１のサブセット内のダウンリンク・サブフレーム、及び第２のサブセットに属するが第１のサブセットに属さないダウンリンク・サブフレームを含み、かつ、第２のダウンリンク・サブフレームのセットが、第２のサブセットのサブセットである場合、処理モジュール１００２によって決定されたチャネル・リソースは、第２のアップリンク・チャネル・リソースである。
【０２２９】
本発明の本実施形態において提供されたアクセス・ネットワーク・デバイス１０００のユニット及びモジュールに関して、受信モジュール１００３は、受信機を使用することによって具体的に実装されてよく、送信モジュール１００１は、送信機を使用することによって具体的に実装されてよく、処理モジュール１００２は、プロセッサを使用することによって具体的に実装されてよいことに留意されたい。プロセッサ、受信機、及び送信機は、互いに通信してよい。これは本発明の本実施形態において具体的に限定されない。
【０２３０】
具体的には、本発明の本実施形態において提供されたアクセス・ネットワーク・デバイス１０００によって実施されるＣＳＩの伝送方法に関しては、実施形態２の説明を参照されたい。詳細は本発明の本実施形態において本明細書で再び説明されない。
【０２３１】
本実施形態におけるアクセス・ネットワーク・デバイス１０００は、前述の方法を実施するように構成されることができるので、アクセス・ネットワーク・デバイス１０００によって達成されることができる技術的な効果に関しては、前述の方法の実施形態の説明を参照されたい。詳細は本明細書で再び説明されない。
【０２３２】
当業者は、前述の１つ又は複数の例において、本発明において説明された機能は、ハードウェア、ソフトウェア、ファームウェア、又はその任意の組合せによって実装されてよいことを認識されたい。機能が、ソフトウェアによって実装されるとき、前述の機能は、コンピュータ可読媒体に格納されてよく、又は、コンピュータ可読媒体内の１つ又は複数の命令又は符号として伝送されてよい。コンピュータ可読媒体は、コンピュータ・ストレージ媒体及び通信媒体を含み、ここで、通信媒体は、コンピュータ・プログラムが、ある場所から別の場所へ伝送されることを可能にするあらゆる媒体を含む。ストレージ媒体は、汎用の、又は専用のコンピュータにアクセス可能な任意の利用可能な媒体であってよい。
【０２３３】
前述の説明は、本発明の具体的な実装形態に過ぎないが、本発明の保護範囲を限定することを意図していない。本発明において開示された技術範囲内で、当業者によって容易に考え出される任意の変形又は置換は、本発明の保護範囲に入る。したがって、本発明の保護範囲は、特許請求の範囲の保護範囲に従う。
【図１】
0006564052.tif 000008
【図２】
0006564052.tif 000009
【図３】
0006564052.tif 000010
【図４】
0006564052.tif 000011
【図５】
0006564052.tif 000012
【図６】
0006564052.tif 000013
【図７】
0006564052.tif 000014
【図８】
0006564052.tif 000015
【図９】
0006564052.tif 000016
【図１０】
0006564052.tif 000017